(57)【要約】      （修正有）【課題】商品の販売環境が整っていない商品購入不便エリアにおいて購入者が各種複数の商品を何時でも自由に購入することができる商品販売システムを提供する。【解決手段】商品販売システム１０では、商品購入不便エリアに設置されたデジタルサイネージ１１が各種複数の商品の商品情報画像と商品価格、購入場所を示すＱＲコード（登録商標）とを含む商品データをＷｅｂサイトから受信し、受信した商品データをタッチディスプレイに表示し、スマートフォン１２がＱＲコードを読み取って商品を購入し、購入商品の購入確定情報を決済者サーバ１４に送信し、決済者サーバ１４がスマートフォン１２から購入確定情報を受信した場合、デジタルサイネージ１１を設置した商品購入不便エリアへの購入商品の配送を販売者サーバ１５ａ，１５ｂに送信するとともに購入者の口座から購入商品の代金を引き落とし、販売者サーバ１５ａ，１５ｂが購入商品の配送指示を出力する。【選択図】図１
2019087185.tif 000002
【特許請求の範囲】
【請求項１】
インターネット上に存在するＷｅｂサイトを利用し、各種複数の商品の購入場所を各地の商品購入不便エリアに設定しつつ、前記商品購入不便エリアに設定されたそれら購入場所において各種複数の商品を販売する商品販売システムであって、
前記商品販売システムが、前記各地の商品購入不便エリアに撤去可能に設置されるデジタルサイネージと、前記商品購入不便エリアにおいて前記商品を購入する複数の購入者が所持する各種複数の携帯通信端末と、それら携帯通信端末に前記インターネットを介して接続されてそれら購入者が購入した商品の決済を行う決済者の決済者端末装置と、前記決済者端末装置に前記インターネットを介して接続されて前記商品を販売する販売者の販売者端末装置とから形成され、
前記デジタルサイネージが、前記各種複数の商品の商品情報画像と前記商品情報画像の商品の商品価格、購入場所を示すバーコードとを含む商品データを前記Ｗｅｂサイトから受信する商品データ受信手段と、前記商品データ受信手段によって受信した前記商品データを表示装置に表示する商品データ表示手段とを有し、
前記携帯通信端末が、前記バーコードを読み取って該バーコードが示す商品を購入する商品購入手段と、前記商品購入手段によって購入した購入商品の購入確定情報を前記インターネットを介して前記決済者端末装置に送信する購入確定情報送信手段とを有し、
前記決済者端末装置が、前記携帯通信端末から購入確定情報を受信した場合、前記購入商品の前記デジタルサイネージを設置した商品購入不便エリアへの配送を前記販売者端末装置に送信する商品配送送信手段と、前記購入者から前記購入商品の代金の支払を受ける代金決済手段とを有し、
前記販売者端末装置が、前記商品配送送信手段によって送信された前記購入商品の配送指示を出力する配送指示出力手段とを有することを特徴とする商品販売システム。
【請求項２】
前記販売者端末装置が、各種複数の商品の商品情報画像と前記バーコードとを含む前記商品データを前記Ｗｅｂサイトに登録する商品データ登録手段と、前記Ｗｅｂサイトにおいて前記商品データを更新する商品データ更新手段とを含む請求項１に記載の商品販売システム。
【請求項３】
前記デジタルサイネージが、それを設置した商品購入不便エリアの購入不便エリア情報を前記インターネットを介して前記販売者端末装置に送信する購入不便エリア情報送信手段を含み、前記商品データ登録手段が、前記購入不便エリア情報送信手段によって送信された商品購入不便エリアの前記デジタルサイネージに表示する前記商品データを前記Ｗｅｂサイトに登録し、前記商品データ更新手段が、前記購入不便エリア情報送信手段によって送信された商品購入不便エリアの前記デジタルサイネージに表示する前記商品データを更新する請求項２に記載の商品販売システム。
【請求項４】
前記販売者端末装置が、前記各種複数の商品の宣伝データを前記Ｗｅｂサイトに登録する宣伝データ登録手段と、前記Ｗｅｂサイトにおいて前記宣伝データを更新する宣伝データ更新手段とを含み、前記デジタルサイネージが、前記各種複数の商品の宣伝データを前記Ｗｅｂサイトから受信する宣伝データ受信手段と、前記宣伝データ受信手段によって受信した宣伝データを表示装置に表示する宣伝データ表示手段とを含む請求項１ないし請求項３いずれかに記載の商品販売システム。
【請求項５】
前記宣伝データ登録手段が、前記購入不便エリア情報送信手段によって送信された商品購入不便エリアの前記デジタルサイネージに表示する前記宣伝データを前記Ｗｅｂサイトに登録し、前記宣伝データ更新手段が、前記購入不便エリア情報送信手段によって送信された商品購入不便エリアの前記デジタルサイネージに表示する前記宣伝データを更新する請求項４に記載の商品販売システム。
【請求項６】
前記デジタルサイネージが、前記商品購入不便エリアにおける温度、湿度、天気予報、各種警戒注意情報を含む天候データを前記Ｗｅｂサイトから受信する天候データ受信手段と、前記天候データ受信手段によって受信した前記天候データを表示装置に表示する天候データ表示手段とを含む請求項１ないし請求項５いずれかに記載の商品販売システム。
【請求項７】
前記商品購入不便エリアが、土木建築現場および工事現場であり、前記購入者が、前記土木建築現場および前記工事現場で働く作業員であり、前記商品が、各種複数の弁当、前記土木建築現場で使用する各種複数の土木建築器具、各種複数の土木建築材料、前記工事現場で使用する各種複数の工事器具、各種複数の工事材料である請求項１ないし請求項６いずれかに記載の商品販売システム。
【請求項８】
前記デジタルサイネージが、前記土木建築現場の土木建築期間に使用される仮設ハウスまたは作業員休憩所に設置され、前記工事現場の工事期間に使用される仮設ハウスまたは作業員休憩所に設置される請求項７に記載の商品販売システム。
【請求項９】
前記デジタルサイネージが、所定の土木建築現場の土木建築期間の終了によってその土木建築現場の仮設ハウスまたは作業員休憩所から撤去されるとともに次の土木建築現場の土木建築期間に使用される仮設ハウスまたは作業員休憩所に設置され、所定の工事現場の工事期間の終了によってその工事現場の仮設ハウスまたは作業員休憩所から撤去されるとともに次の工事現場の工事期間に使用される仮設ハウスまたは作業員休憩所に設置される請求項８に記載の商品販売システム。
【請求項１０】
前記商品データ登録手段が、前記各種複数の弁当の弁当情報画像と前記弁当情報画像の弁当の価格、弁当の購入場所を示すバーコードとを含む商品データを前記Ｗｅｂサイトに登録し、前記各種複数の土木建築器具の土木建築器具情報画像、前記各種複数の土木建築材料の土木建築材料情報画像、前記各種複数の工事器具の工事器具情報画像、前記各種複数の工事材料の工事材料情報画像と前記土木建築器具情報画像の土木建築器具の価格、土木建築器具の購入場所、前記土木建築材料情報画像の土木建築材料の価格、土木建築材料の購入場所、前記工事器具情報画像の工事器具の価格、工事器具の購入場所、前記工事材料情報画像の工事材料の価格、工事材料の購入場所を示すバーコードとを含む商品データを前記Ｗｅｂサイトに登録する請求項７ないし請求項９いずれかに記載の商品販売システム。
【請求項１１】
前記宣伝データ登録手段が、前記各種複数の弁当の宣伝データを前記Ｗｅｂサイトに登録し、前記各種複数の土木建築器具の宣伝データ、前記各種複数の土木建築材料の宣伝データ、前記各種複数の工事器具の宣伝データ、前記各種複数の工事材料の宣伝データを前記Ｗｅｂサイトに登録する請求項７ないし請求項１０いずれかに記載の商品販売システム。
【発明の詳細な説明】
【技術分野】
【０００１】
本発明は、各地に設定された購入場所において各種複数の商品を販売する商品販売システムに関する。
【背景技術】
【０００２】
ユーザーから商品の発注操作を受け付ける発注受付デバイスと、商品の発注処理を実行する販売処理装置とを有し、発注受付デバイスが、ユーザーによる商品の発注操作を受け付ける操作受付部と、操作受付部が発注操作を受け付けた場合、発注受付デバイスのデバイス識別情報を通信ネットワークを介して販売処理装置に送信するデバイス送信部とを備え、販売処理装置が、デバイス識別情報に関連づけられた商品を特定する商品情報と、商品の販売益を取得する業者を特定する業者情報とを関連づけて記憶する装置記憶部と、デバイス送信部からデバイス識別情報を受信する装置受信部と、装置記憶部を参照しつつ装置受信部が受信したデバイス識別情報に関連づけられた商品情報を取得し、商品情報をデバイス識別情報に関連づけられた業者情報に対応する業者に提供する販売処理部とを備えた商品販売システムが開示されている（特許文献１参照）。この商品販売システムは、商品をユーザーに直接販売した業者以外の業者にも商品の販売益を配分することができる
【先行技術文献】
【特許文献】
【０００３】
【特許文献１】特開２０１７−６８５１６号公報
【発明の概要】
【発明が解決しようとする課題】
【０００４】
商品の販売環境が整っていないにもかかわらず各種複数の商品に対するニーズがあるとともに商品の購入意欲が高い購入者が集まる土木建築現場や橋脚工事現場、トンネル工事現場、除染工事現場、イベント仮設会場、展示仮設会場等の所定期間のみ活動する商品購入不便エリアが各地に存在する。商品購入不便エリアにおいて購入者は所望の商品を何時でも自由に購入することができず、急な作業や急な活動に必要な商品を迅速に手に入れることができない。また、そのような商品購入不便エリアにおいて商品を購入する場合、商品購入不便エリアに販売業者が各種複数の商品を持ち込み、購入者に現金取引にて商品を販売する販売形態が採用されているから、購入者がキャッシュレスにて商品を購入することができない。前記特許文献１に開示の商品販売システムは、商品をユーザーに直接販売した業者以外の業者にも商品の販売益を配分することはできるが、商品購入不便エリアにおいて購入者に商品をキャッシュレスで円滑に購入させることはできない。
【０００５】
本発明の目的は、商品の販売環境が整っていないにもかかわらず各種複数の商品に対するニーズがあるとともに商品の購入意欲が高い購入者が集まる商品購入不便エリアにおいて購入者が各種複数の商品を何時でも自由に購入することができ、購入者が急な作業や急な活動に必要な商品を迅速に手に入れることができる商品販売システムを提供することにある。本発明の他の目的は、商品購入不便エリアにおいて購入者がキャッシュレスで各種複数の商品を購入することができ、購入後に商品の代金を決済することができる商品販売システムを提供することにある。
【課題を解決するための手段】
【０００６】
前記課題を解決するための本発明の前提は、インターネット上に存在するＷｅｂサイトを利用し、各種複数の商品の購入場所を各地の商品購入不便エリアに設定しつつ、商品購入不便エリアに設定されたそれら購入場所において各種複数の商品を販売する商品販売システムである。
【０００７】
前記前提における本発明の商品販売システムの特徴は、商品販売システムが、各地の商品購入不便エリアに撤去可能に設置されるデジタルサイネージと、商品購入不便エリアにおいて商品を購入する複数の購入者が所持する各種複数の携帯通信端末と、それら携帯通信端末にインターネットを介して接続されてそれら購入者が購入した商品の決済を行う決済者の決済者端末装置と、決済者端末装置にインターネットを介して接続されて商品を販売する販売者の販売者端末装置とから形成され、デジタルサイネージが、各種複数の商品の商品情報画像と商品情報画像の商品の商品価格、購入場所を示すバーコードとを含む商品データをＷｅｂサイトから受信する商品データ受信手段と、商品データ受信手段によって受信した商品データを表示装置に表示する商品データ表示手段とを有し、携帯通信端末が、バーコードを読み取ってバーコードが示す商品を購入する商品購入手段と、商品購入手段によって購入した購入商品の購入確定情報をインターネットを介して決済者端末装置に送信する購入確定情報送信手段とを有し、決済者端末装置が、携帯通信端末から購入確定情報を受信した場合、購入商品のデジタルサイネージを設置した商品購入不便エリアへの配送を販売者端末装置に送信する商品配送送信手段と、購入者から前記購入商品の代金の支払を受ける代金決済手段とを有し、販売者端末装置が、商品配送送信手段によって送信された購入商品の配送指示を出力する配送指示出力手段とを有することにある。
【０００８】
本発明に係る商品販売システムの一例としては、販売者端末装置が、各種複数の商品の商品情報画像とバーコードとを含む商品データをＷｅｂサイトに登録する商品データ登録手段と、Ｗｅｂサイトにおいて商品データを更新する商品データ更新手段とを含む。
【０００９】
本発明に係る商品販売システムの他の一例としては、デジタルサイネージが、それを設置した商品購入不便エリアの購入不便エリア情報をインターネットを介して販売者端末装置に送信する購入不便エリア情報送信手段を含み、商品データ登録手段が、購入不便エリア情報送信手段によって送信された商品購入不便エリアのデジタルサイネージに表示する商品データを前記Ｗｅｂサイトに登録し、商品データ更新手段が、購入不便エリア情報送信手段によって送信された商品購入不便エリアのデジタルサイネージに表示する商品データを更新する。
【００１０】
本発明に係る商品販売システムの他の一例としては、販売者端末装置が、各種複数の商品の宣伝データをＷｅｂサイトに登録する宣伝データ登録手段と、Ｗｅｂサイトにおいて宣伝データを更新する宣伝データ更新手段とを含み、デジタルサイネージが、各種複数の商品の宣伝データをＷｅｂサイトから受信する宣伝データ受信手段と、宣伝データ受信手段によって受信した宣伝データを表示装置に表示する宣伝データ表示手段とを含む。
【００１１】
本発明に係る商品販売システムの他の一例としては、宣伝データ登録手段が、購入不便エリア情報送信手段によって送信された商品購入不便エリアのデジタルサイネージに表示する宣伝データをＷｅｂサイトに登録し、宣伝データ更新手段が、購入不便エリア情報送信手段によって送信された商品購入不便エリアのデジタルサイネージに表示する宣伝データを更新する。
【００１２】
本発明に係る商品販売システムの他の一例としては、デジタルサイネージが、商品購入不便エリアにおける温度、湿度、天気予報、各種警戒注意情報を含む天候データをＷｅｂサイトから受信する天候データ受信手段と、天候データ受信手段によって受信した天候データを表示装置に表示する天候データ表示手段とを含む。
【００１３】
本発明に係る商品販売システムの他の一例としては、商品購入不便エリアが、土木建築現場および工事現場であり、購入者が、土木建築現場および工事現場で働く作業員であり、商品が、各種複数の弁当、土木建築現場で使用する各種複数の土木建築器具、各種複数の土木建築材料、工事現場で使用する各種複数の工事器具、各種複数の工事材料である。
【００１４】
本発明に係る商品販売システムの他の一例としては、デジタルサイネージが、土木建築現場の土木建築期間に使用される仮設ハウスまたは作業員休憩所に設置され、工事現場の工事期間に使用される仮設ハウスまたは作業員休憩所に設置される。
【００１５】
本発明に係る商品販売システムの他の一例としては、デジタルサイネージが、所定の土木建築現場の土木建築期間の終了によってその土木建築現場の仮設ハウスまたは作業員休憩所から撤去されるとともに次の土木建築現場の土木建築期間に使用される仮設ハウスまたは作業員休憩所に設置され、所定の工事現場の工事期間の終了によってその工事現場の仮設ハウスまたは作業員休憩所から撤去されるとともに次の工事現場の工事期間に使用される仮設ハウスまたは作業員休憩所に設置される。
【００１６】
本発明に係る商品販売システムの他の一例としては、商品データ登録手段が、各種複数の弁当の弁当情報画像と弁当情報画像の弁当の価格、弁当の購入場所を示すバーコードとを含む商品データをＷｅｂサイトに登録し、各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すバーコードとを含む商品データをＷｅｂサイトに登録する。
【００１７】
本発明に係る商品販売システムの他の一例としては、宣伝データ登録手段が、各種複数の弁当の宣伝データをＷｅｂサイトに登録し、各種複数の土木建築器具の宣伝データ、各種複数の土木建築材料の宣伝データ、各種複数の工事器具の宣伝データ、各種複数の工事材料の宣伝データを前記Ｗｅｂサイトに登録する。
【発明の効果】
【００１８】
本発明に係る商品販売システムによれば、デジタルサイネージが各種複数の商品の商品情報画像と商品情報画像の商品の商品価格、購入場所（商品購入不便エリア）を示すバーコードとを含む商品データをＷｅｂサイトから受信し、Ｗｅｂサイトから受信した商品データを表示装置に表示し、携帯通信端末がバーコードを読み取ってバーコードが示す商品を購入し、購入した購入商品の購入確定情報を決済者端末装置に送信し、決済者端末装置が携帯通信端末から購入確定情報を受信した場合、購入商品のデジタルサイネージを設置した購入場所への配送を販売者端末装置に送信し、販売者端末装置が決済者端末装置から送信された購入商品の配送指示を出力するから、商品の販売環境が整っていないにもかかわらず各種複数の商品に対するニーズがあるとともに商品の購入意欲が高い購入者が集まる商品購入不便エリアにデジタルサイネージを設置し、そのデジタルサイネージを利用して商品購入不便エリアにおいて販売者が各種複数の商品を販売することができ、デジタルサイネージを利用して商品購入不便エリアにおいて購入者が各種複数の商品から所望の商品を何時でも自由に購入することができる。商品販売システムは、購入者が急な作業や急な活動に必要な商品を迅速に手に入れることができ、購入者が商品購入不便エリアにおいて所定の作業や所定の活動を滞りなく円滑に行うことができる。商品販売システムは、決済者端末装置が購入者の口座から購入商品の代金を引き落とし、または、携帯通信端末にチャージされた電子マネーによって購入商品の代金の支払を受けるから、商品購入不便エリアにおいて購入者がキャッシュレスで各種複数の商品を購入することができ、購入後に商品の代金を決済者が購入者の口座から引き落とし、または、電子マネーによって購入商品の代金の支払を受けることで、販売者に対する商品の代金の未払いを防ぐことができる。
【００１９】
販売者端末装置が各種複数の商品の商品情報画像とバーコードとを含む商品データをＷｅｂサイトに登録し、Ｗｅｂサイトにおいて商品データを更新する商品販売システムは、販売者端末装置が商品データをＷｅｂサイトに登録することで、デジタルサイネージが各種複数の商品の商品情報画像を含む商品データをＷｅｂサイトから受信することができ、デジタルサイネージを利用して商品購入不便エリアにおいて販売者が各種複数の商品を販売することができるとともに、デジタルサイネージを利用して商品購入不便エリアにおいて購入者が各種複数の商品を何時でも自由に購入することができる。商品販売システムは、販売者端末装置がＷｅｂサイトにおいて商品データを更新することで、新規の商品や未登録の商品、バージョンアップした商品を常時Ｗｅｂサイトに登録することができるとともに、古い商品をＷｅｂサイトから削除することができ、デジタルサイネージを利用して商品購入不便エリアにおいて購入者が更新された各種複数の商品から所望の商品を何時でも購入することができる。
【００２０】
デジタルサイネージがそれを設置した商品購入不便エリアの購入不便エリア情報をインターネットを介して販売者端末装置に送信し、商品購入不便エリアに設置されたデジタルサイネージに表示する商品データを販売者端末装置がＷｅｂサイトに登録し、商品購入不便エリアに設置されたデジタルサイネージに表示する商品データを販売者端末装置が更新する商品販売システムは、商品購入不便エリアに設置されたデジタルサイネージに表示する商品データを販売者端末装置がＷｅｂサイトに登録することで、デジタルサイネージが商品購入不便エリア（購入場所）において各種複数の商品の商品情報画像を含む商品データをＷｅｂサイトから受信することができ、デジタルサイネージを利用して商品購入不便エリアの購入場所において購入者が各種複数の商品を確実に購入することができる。商品販売システムは、商品購入不便エリア（購入場所）に設置されたデジタルサイネージに表示する商品データを販売者端末装置が更新することで、新規の商品や未登録の商品、バージョンアップした商品を常時Ｗｅｂサイトに登録することができるとともに、古い商品をＷｅｂサイトから削除することができ、デジタルサイネージを利用して商品購入不便エリアの購入場所において購入者が更新された各種複数の商品を確実に購入することができる。
【００２１】
販売者端末装置が各種複数の商品の宣伝データをＷｅｂサイトに登録し、販売者端末装置がＷｅｂサイトにおいて宣伝データを更新し、デジタルサイネージが各種複数の商品の宣伝データをＷｅｂサイトから受信し、受信した宣伝データをデジタルサイネージが表示装置に表示する商品販売システムは、販売者端末装置が商品の宣伝データをＷｅｂサイトに登録することで、デジタルサイネージが各種複数の商品の宣伝データをＷｅｂサイトから受信することができるとともに、受信した商品の宣伝データをデジタルサイネージが表示装置に表示することで、購入者が各種商品の宣伝データを見ることができ、各種商品に対する購買者の購買意欲を高めることができる。商品販売システムは、販売者端末装置がＷｅｂサイトにおいて宣伝データを更新することで、新規の商品や未登録の商品、バージョンアップした商品の宣伝データを常時Ｗｅｂサイトに登録することができるとともに、古い商品の宣伝データをＷｅｂサイトから削除することができ、デジタルサイネージを利用して商品購入不便エリアにおいて購入者が更新された各種複数の商品の宣伝データを見ることができる。
【００２２】
商品購入不便エリアに設置されたデジタルサイネージに表示する宣伝データを販売者端末装置がＷｅｂサイトに登録し、商品購入不便エリアに設置されたデジタルサイネージに表示する宣伝データを販売者端末装置が更新する商品販売システムは、商品購入不便エリア（購入場所）に設置されたデジタルサイネージに表示する宣伝データを販売者端末装置がＷｅｂサイトに登録することで、デジタルサイネージが商品購入不便エリアの購入場所において各種複数の商品の宣伝データをＷｅｂサイトから受信することができるとともに、受信した商品の宣伝データをデジタルサイネージが表示装置に表示することで、購入者が各種商品の宣伝データを見ることができ、各種商品に対する購買者の購買意欲を高めることができる。商品販売システムは、商品購入不便エリア（購入場所）に設置されたデジタルサイネージに表示する宣伝データを販売者端末装置が更新することで、新規の商品や未登録の商品、バージョンアップした商品の宣伝データを常時Ｗｅｂサイトに登録することができるとともに、古い商品の宣伝データをＷｅｂサイトから削除することができ、デジタルサイネージを利用して商品購入不便エリアにおいて購入者が更新された各種複数の商品の宣伝データを見ることができる。
【００２３】
デジタルサイネージが購入場所における温度、湿度、天気予報、各種警戒注意情報を含む天候データをＷｅｂサイトから受信し、Ｗｅｂサイトから受信した天候データを表示装置に表示する商品販売システムは、購入場所における温度、湿度、天気予報、各種警戒注意情報を含む天候データをデジタルサイネージの表示装置に表示することで、商品購入不便エリア（購入場所）に集まる購入者にそのエリアの天候を知らせることができ、購入者が商品購入不便エリアの現在の温度や湿度、天気、今後の温度、湿度、天気を知ることができる。
【００２４】
購入場所が土木建築現場および工事現場であり、購入者が土木建築現場および工事現場で働く作業員であり、商品が各種複数の弁当、土木建築現場で使用する各種複数の土木建築器具、各種複数の土木建築材料、工事現場で使用する各種複数の工事器具、各種複数の工事材料である商品販売システムは、デジタルサイネージが各種複数の弁当や各種複数の土木建築器具、各種複数の土木建築材料、各種複数の工事器具、各種複数の工事材料とそれらの価格、土木建築現場および工事現場を示すバーコードとを含む商品データをＷｅｂサイトから受信し、Ｗｅｂサイトから受信した商品データを表示装置に表示し、携帯通信端末がバーコードを読み取ってバーコードが示すそれらの商品を購入し、購入した購入商品の購入確定情報を決済者端末装置に送信し、決済者端末装置が携帯通信端末から購入確定情報を受信した場合、購入商品のデジタルサイネージを設置した購入場所への配送を販売者端末装置に送信し、販売者端末装置が決済者端末装置から送信された購入商品の配送指示を出力するから、弁当や土木建築器具、土木建築材料、工事器具、工事材料の販売環境が整っていないにもかかわらずそれら商品に対するニーズがあるとともにそれら商品の購入意欲が高い作業者が集まる土木建築現場および工事現場（商品購入不便エリア）にデジタルサイネージを設置し、そのデジタルサイネージを利用して土木建築現場や工事現場において作業者が弁当や土木建築器具、土木建築材料、工事器具、工事材料（各種複数の商品）を何時でも自由に購入することができ、作業者が急な作業や急な活動に必要な商品を迅速に手に入れることができ、作業者が土木建築現場や工事現場において所定の作業や所定の活動を滞りなく円滑に行うことができる。商品販売システムは、決済者端末装置が作業者の口座から購入商品の代金を引き落とし、携帯通信端末にチャージされた電子マネーによって購入商品の代金の支払を受けるから、土木建築現場や工事現場（商品購入不便エリア）において作業者がキャッシュレスで弁当や土木建築器具、土木建築材料、工事器具、工事材料（各種複数の商品）を購入することができ、購入後に弁当や土木建築器具、土木建築材料、工事器具、工事材料の代金を決済者が購入者の口座から引き落とし、または、電子マネーによって弁当や土木建築器具、土木建築材料、工事器具、工事材料の代金の支払を受けることで、販売者に対する弁当や土木建築器具、土木建築材料、工事器具、工事材料の代金の未払いを防ぐことができる。
【００２５】
デジタルサイネージが土木建築現場の建築期間に使用される仮設ハウスまたは作業員休憩所に設置され、工事現場の工事期間に使用される仮設ハウスまたは作業員休憩所に設置される商品販売システムは、弁当や土木建築器具、土木建築材料、工事器具、工事材料の販売環境が整っていないにもかかわらずそれら商品に対するニーズがあるとともにそれら商品の購入意欲が高い作業者が集まる土木建築現場の仮設ハウスまたは作業員休憩所、工事現場の仮設ハウスまたは作業員休憩所にデジタルサイネージを設置し、そのデジタルサイネージを利用して仮設ハウスまたは作業員休憩所において作業者が弁当や土木建築器具、土木建築材料、工事器具、工事材料（各種複数の商品）を何時でも自由に購入することができ、作業者が急な作業や急な活動に必要な商品を迅速に手に入れることができ、作業者が土木建築現場や工事現場において所定の作業や所定の活動を滞りなく円滑に行うことができる。
【００２６】
デジタルサイネージが所定の土木建築現場の土木建築期間の終了によってその土木建築現場の仮設ハウスまたは作業員休憩所から撤去されるとともに次の土木建築現場（あらたな土木建築現場）の土木建築期間に使用される仮設ハウスまたは作業員休憩所に設置され、所定の工事現場の工事期間の終了によってその工事現場の仮設ハウスまたは作業員休憩所から撤去されるとともに次の工事現場（あらたな工事現場）の工事期間に使用される仮設ハウスまたは作業員休憩所に設置される商品販売システムは、土木建築現場の土木建築期間の終了や工事現場の工事期間の終了によってそれら現場の仮設ハウスまたは作業員休憩所からデジタルサイネージを撤去するとともに、次の土木建築現場や工事現場の仮設ハウスまたは作業員休憩所にデジタルサイネージを設置することで、土木や建設が完了した土木建築現場からあらたな土木建築現場にデジタルサイネージを順に設置することができるとともに、工事が完了した工事現場からあらたな工事現場に順にデジタルサイネージを設置することができ、あらたな土木建築現場やあらたな工事現場の仮設ハウスまたは作業員休憩所において販売業者（販売者）が各種複数の弁当や土木建築器具、土木建築材料、工事器具、工事材料（各種複数の商品）を販売することができる。商品販売システムは、あらたな土木建築現場やあらたな工事現場の仮設ハウスまたは作業員休憩所において作業者が弁当や土木建築器具、土木建築材料、工事器具、工事材料（各種複数の商品）を何時でも自由に購入することができ、作業者があらたな土木建築現場およびあらたな工事現場において所定の作業や所定の活動を滞りなく円滑に行うことができる。
【００２７】
販売者端末装置が各種複数の弁当の弁当情報画像と弁当情報画像の弁当の価格、弁当の購入場所を示すバーコードとを含む商品データをＷｅｂサイトに登録し、各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すバーコードとを含む商品データをＷｅｂサイトに登録する商品販売システムは、販売者端末装置が各種複数の弁当の弁当情報画像と弁当情報画像の弁当の価格、弁当の購入場所を示すバーコードとを含む商品データをＷｅｂサイトに登録するとともに、各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すバーコードとを含む商品データをＷｅｂサイトに登録することで、デジタルサイネージが各種複数の弁当の弁当情報画像と弁当情報画像の弁当の価格、弁当の購入場所を示すバーコードとを含む商品データや各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すバーコードとを含む商品データをＷｅｂサイトから受信することができ、デジタルサイネージを利用して土木建築現場や工事現場（商品購入不便エリア）において販売業者（販売者）が各種複数の弁当や各種複数の土木建築器具、各種複数の土木建築材料、各種複数の工事器具、各種複数の工事材料を販売することができるとともに、デジタルサイネージを利用して土木建築現場や工事現場（商品購入不便エリア）において作業者が各種複数の弁当や各種複数の土木建築器具、各種複数の土木建築材料、各種複数の工事器具、各種複数の工事材料を何時でも自由に購入することができる。
【００２８】
販売者端末装置が各種複数の弁当の宣伝データをＷｅｂサイトに登録し、各種複数の土木建築器具の宣伝データ、各種複数の土木建築材料の宣伝データ、各種複数の工事器具の宣伝データ、各種複数の工事材料の宣伝データをＷｅｂサイトに登録する商品販売システムは、販売者端末装置が弁当の宣伝データや土木建築器具の宣伝データ、土木建築材料の宣伝データ、工事器具の宣伝データ、工事材料の宣伝データをＷｅｂサイトに登録することで、デジタルサイネージが各種複数の弁当の宣伝データや各種複数の土木建築器具の宣伝データ、各種複数の土木建築材料の宣伝データ、各種複数の工事器具の宣伝データ、各種複数の工事材料の宣伝データをＷｅｂサイトから受信することができるとともに、受信した弁当や土木建築器具、土木建築材料、工事器具、工事材料の宣伝データをデジタルサイネージが表示装置に表示することで、作業者が弁当や土木建築器具、土木建築材料、工事器具、工事材料の宣伝データを見ることができ、弁当や土木建築器具、土木建築材料、工事器具、工事材料に対する購買者の購買意欲を高めることができる。
【図面の簡単な説明】
【００２９】
【図１】一例として示す商品販売システムの構成図。
【図２】デジタルサイネージが設置された土木建築現場や工事現場の仮設ハウスや作業員休憩所の一例を示す図。
【図３】デジタルサイネージのタッチディスプレイに表示されたメニュー画面の一例を示す図。
【図４】デジタルサイネージのタッチディスプレイに表示された弁当商品データ画面の一例を示す図。
【図５】デジタルサイネージのタッチディスプレイに表示された弁当購入画面の一例を示す図。
【図６】デジタルサイネージのタッチディスプレイに表示された土木建築器具購入確定画面の一例を示す図。
【図７】デジタルサイネージのタッチディスプレイに表示された土木建築材料購入確定画面の一例を示す図。
【図８】デジタルサイネージのタッチディスプレイに表示された工事器具購入確定画面の一例を示す図。
【図９】デジタルサイネージのタッチディスプレイに表示された工事材料購入確定画面の一例を示す図。
【図１０】デジタルサイネージのタッチディスプレイに表示された弁当宣伝画面の一例を示す図。
【図１１】デジタルサイネージのタッチディスプレイに表示された土木建築器具宣伝画面の一例を示す図。
【図１２】デジタルサイネージのタッチディスプレイに表示された土木建築材料宣伝画面。
【図１３】デジタルサイネージのタッチディスプレイに表示された工事器具宣伝画面。
【図１４】デジタルサイネージのタッチディスプレイに表示された工事材料宣伝画面の一例を示す図。
【図１５】デジタルサイネージのタッチディスプレイに表示された天候表示画面の一例を示す図。
【発明を実施するための形態】
【００３０】
一例として示す商品販売システム１０の構成図である図１等の添付の図面を参照し、本発明に係る商品販売システムの詳細を説明すると、以下のとおりである。図１では、１台のデジタルサイネージ１１や１台のスマートフォン１２（携帯通信端末）、１台のタブレット１３（携帯通信端末）、１台の決済者サーバ１４（決済者端末装置）、２台の販売者サーバ１５（販売者端末装置）を図示しているが、実際の商品販売システム１０ではインターネット２１（ネットワーク）に接続可能な複数台のデジタルサイネージ１１や複数台のスマートフォン１２、複数台のタブレット１３、各決済者の複数台の決済者サーバ１４が存在する。販売者サーバ１５として、弁当の販売業者の１台の販売者サーバ１５ａと、土木建築器具や土木建築材料、工事器具、工事材料の販売業者の１台の販売者サーバ１５ｂとを図示しているが、実際の商品販売システム１０では複数台の販売者サーバ１５ａおよび複数台販売者サーバ１５ｂが存在する。
【００３１】
商品販売システム１０は、インターネット上に存在するＷｅｂサイトを利用し、各地の商品購入不便エリアに各種複数の商品の購入場所を設定しつつ、それら購入場所において各種複数の商品を販売する。購入場所として土木建築現場１６の仮設ハウス１８または作業員休憩所１９、工事現場１７の仮設ハウス１８または作業員休憩所１９を例示し、購入者として各種の作業員を例示するとともに、商品として各種複数の弁当、土木建築現場１６で使用する各種複数の土木建築器具、土木建築現場１６で使用する各種複数の土木建築材料、工事現場１７で使用する各種複数の工事器具、工事現場１７で使用する各種複数の工事材料を例示して商品販売システム１０を説明する。
【００３２】
なお、購入場所に特に制限がなく、各地の商品購入不便エリアのあらゆる場所を購入場所として設定することができる。また、購入者は作業員に限定されず、商品を購入可能なあらゆる購入者が含まれる。さらに、商品に特に制限はなく、有償または無償で商取引される現存のあらゆる商品や将来売り出されるあらゆる商品が含まれる。
【００３３】
土木建築現場１６には、集合住宅（マンション）やビル（オフィスビル）、工場、橋梁、ダム、空港等のあらゆる人工の建造物を建設する現場が含まれる。工事現場１７には、道路工事やトンネル工事、除染工事等のあらゆる工事の現場が含まれる。作業員には、土木建築現場１６および工事現場１７で働く建築作業員（鉄筋工、型枠工、左官工、大工、解体工等）や工事作業員、土木作業員、除染作業員等のあらゆる作業員が含まれる。
【００３４】
商品販売示システム１０は、ネットワーク対応のデジタルサイネージ１１と、スマートフォン１２（携帯通信端末）またはタブレット１３（携帯通信端末）と、決済者サーバ１４（決済者端末装置）および販売者サーバ１５ａ，１５ｂ（販売者端末装置）とから形成されている。デジタルサイネージ１１は、土木建築現場１６の土木建築期間に使用される仮設ハウス１８（各地の購入場所）や作業員休憩所１９（各地の購入場所）に設置されるとともに、工事現場１７の工事期間に使用される仮設ハウス１８（各地の購入場所）や作業員休憩所１９（各地の購入場所）に設置される。
【００３５】
土木建築現場１６の仮設ハウス１８や作業員休憩所１９は、建造物の建設前に土木建築現場１６に設置（仮設）される。デジタルサイネージ１１は、土木建築現場１６の仮設ハウス１８や作業員休憩所１９の設置と略同時期に仮設ハウス１８の内部や作業員休憩所１９の内部に設置される。土木建築現場１６の仮設ハウス１８や作業員休憩所１９は、土木建築現場１６の土木建築期間の終了（建築物の完成）によって解体され、土木建築現場１６から撤去される。デジタルサイネージ１１は、土木建築現場１６の仮設ハウス１８や作業員休憩所１９の解体（土木建築現場の建築期間の終了）と略同時期に仮設ハウス１８や作業員休憩所１９から撤去される。土木建築現場１６の仮設ハウス１８や作業員休憩所１９から撤去されたデジタルサイネージ１１は、次の土木建築現場１６（あらたな土木建築現場１６）の土木建築期間に使用される仮設ハウス１８または作業員休憩所１９に設置される。
【００３６】
工事現場１７の仮設ハウス１８や作業員休憩所１９は、工事現場１７の工事前にその工事現場１７に設置（仮設）される。デジタルサイネージ１１は、工事現場１７の仮設ハウス１８や作業員休憩所１９の設置と略同時期に仮設ハウス１８の内部や作業員休憩所１９の内部に設置される。工事現場１７の仮設ハウス１８や作業員休憩所１９は、工事現場１７の工事期間の終了（工事の完成）によって解体され、工事現場１７から撤去される。デジタルサイネージ１１は、工事現場１７の仮設ハウス１８や作業員休憩所１９の解体（工事現場の工事期間の終了）と略同時期に仮設ハウス１８や作業員休憩所１９から撤去される。工事現場１７の仮設ハウス１８や作業員休憩所１９から撤去されたデジタルサイネージ１１は、次の工事現場１７（あらたな工事現場１７）の工事期間に使用される仮設ハウス１８や作業員休憩所１９に設置される。
【００３７】
デジタルサイネージ１１は、文字や動画、静止画を表示するタッチディスプレイ２０（表示装置）と、タッチディスプレイ２０に表示する文字や動画、静止画の各データを制御するコントロール装置と、公衆回線等で販売者サーバ１５ａ，１５ｂ（広告配信元）から各種データを受信するデジタル通信装置と、各種データを保存するストレージとから形成されている。デジタルサイネージ１１の表示装置としてタッチディスプレイ２０を図示しているが、表示装置としてスタンドアロンやマルチディスプレイ、４Ｋサイネージ、映像プロジェクタ、ＬＥＤディスプレイを使用することもできる。
【００３８】
デジタルサイネージ１１のコントロール装置は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、映像表示制御部、通信制御部、大容量記憶領域を備えている。デジタルサイネージ１１は、デジタル通信装置を介してインターネット１２上に存在する所定のＷｅｂサイトに接続可能であり、Ｗｅｂサイトから各種複数の商品データおよび各種複数の宣伝データを受信する。
【００３９】
デジタルサイネージ１１のコントロール装置の記憶領域には、デジタルサイネージ１１のＵＲＬ、デジタルサイネージ１１を特定するデジタルサイネージ特定情報（デジタルサイネージ特定識別子）、デジタルサイネージ個別情報（購入場所情報）、ＷｅｂサイトのＵＲＬ、販売者サーバ１５ａ，１５ｂのＵＲＬおよびメールアドレス、販売者サーバ１５ａ，１５ｂの販売者サーバ特定情報（販売者サーバ特定識別子）が格納（記憶）されている。
【００４０】
デジタルサイネージ特定情報には、デジタルサイネージ１１の固体識別番号を利用することができる他、デジタルサイネージ１１がそれを識別するユニークな識別子を独自に生成し、生成した識別子をデジタルサイネージ特定情報にすることもできる。デジタルサイネージ個別情報（購入場所情報）には、デジタルサイネージ１１が設置された土木建築現場１６や工事現場１７の住所や電話番号、ＦＡＸ番号がある。
【００４１】
商品データには、各種複数の弁当の弁当情報画像と弁当情報画像の弁当の価格および弁当の購入場所を示すＱＲコード（登録商標）２２（二次元バーコード）とを含む商品データ、各種複数の土木建築器具の土木建築器具情報画像と土木建築器具情報画像の土木建築器具の価格および土木建築器具の購入場所を示すＱＲコード（登録商標）２２（二次元バーコード）とを含む商品データ、各種複数の土木建築材料の土木建築材料情報画像と土木建築材料情報画像の土木建築材料の価格および土木建築材料の購入場所を示すＱＲコード（登録商標）２２（二次元バーコード）とを含む商品データ、各種複数の工事器具の工事器具情報画像と工事器具情報画像の工事器具の価格および工事器具の購入場所を示すＱＲコード（登録商標）２２（二次元バーコード）とを含む商品データ、各種複数の工事材料の工事材料情報画像と工事材料情報画像の工事材料の価格および工事材料の購入場所を示すＱＲコード（登録商標）２２（二次元バーコード）とを含む商品データがある。二次元バーコードとしてＱＲコード（登録商標）２２が使用されているが、ＱＲコード（登録商標）２２の他の二次元バーコード（ＳＰコードやベリコード、マキシコード、ＣＰコード、DataMatrix、Code1、AztecCode、Super Code、Ultra Code等）を使用することもできる。また、バーコードとしてＪＡＮコードやＥＡＮコード、ＵＰＣコード、ＩＴＦコード、ＣＯＤＥ３９、ＮＷ−７、ＣＯＤＥ１２８等の一次元バーコードを使用することもできる。
【００４２】
弁当の弁当情報画像には、弁当の画像の他、弁当の原材料やおかず、レシピ、調理方法、調理時間等の弁当に関するあらゆるデータが含まれる。土木建築器具の土木建築器具情報画像には、土木建築器具の画像の他、土木建築器具の名称、土木建築器具の材質、土木建築器具の使用方法等の土木建築器具に関するあらゆるデータが含まれる。土木建築材料情報画像には、土木建築材料の画像の他、土木建築材料の名称、土木建築材料の材質、土木建築材料の使用方法等の土木建築材料に関するあらゆるデータが含まれる。
【００４３】
工事器具情報画像には、工事器具の画像の他、工事器具の名称、工事器具の材質、工事器具の使用方法等の工事器具に関するあらゆるデータが含まれる。工事材料情報画像には、工事材料の画像の他、工事材料の名称、工事材料の材質、工事材料の使用方法等の工事材料に関するあらゆるデータが含まれる。弁当の購入場所や土木建築器具の購入場所、土木建築材料の購入場所、工事器具の購入場所、工事材料の購入場所には、デジタルサイネージ１１が設置された土木建築現場１６や工事現場１７の仮設ハウス１８や作業員休憩所１９のハウス画像や休憩所画像、名称、住所、電話番号が含まれる。
【００４４】
宣伝データには、各種複数の弁当の宣伝データ、各種複数の土木建築器具の宣伝データ、各種複数の土木建築材料の宣伝データ、各種複数の工事器具の宣伝データ、各種複数の工事材料の宣伝データがある。弁当の宣伝データには、弁当の画像、弁当の製造販売者情報、弁当の原材料やおかず、レシピ、調理方法、配送時間等の弁当に関するあらゆる宣伝データが含まれる。土木建築器具の宣伝データには、土木建築器具の画像、土木建築器具の製造販売者情報、土木建築器具の名称、土木建築器具の材質、土木建築器具の使用方法等の土木建築器具に関するあらゆる宣伝データが含まれる。
【００４５】
土木建築材料の宣伝データには、土木建築材料の画像、土木建築材料の製造販売者情報、土木建築材料の名称、土木建築材料の材質、土木建築材料の使用方法等の土木建築材料に関するあらゆる宣伝データが含まれる。工事器具の宣伝データには、工事器具の画像、工事器具の製造販売者情報、工事器具の名称、工事器具の材質、工事器具の使用方法等の工事器具に関するあらゆる宣伝データが含まれる。工事材料の宣伝データには、工事材料の画像、工事材料の製造販売者情報、工事材料の名称、工事材料の材質、工事材料の使用方法等の工事材料に関するあらゆる宣伝データが含まれる。
【００４６】
スマートフォン１２（携帯通信端末）やタブレット１３（携帯通信端末）は、土木建築現場１６や工事現場１７で働く作業者が所持している。なお、携帯通信端末には携帯情報端末（ＰＤＡ）も含まれ、さらに、今後開発されるインターネット２１に接続可能なあらゆる携帯通信端末が含まれる。商品販売システム１０において利用されるスマートフォン１２は、それぞれ機種が異なるとともにそれらを提供するキャリア（メーカー）が異なる。商品販売システム１０において利用されるタブレット１３は、それぞれ機種が異なるとともにそれらを提供するメーカーが異なる。
【００４７】
スマートフォン１２やタブレット１３は、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域（大容量ハードディスク等）を実装している。スマートフォン１２やタブレット１３は、それらのメモリに格納されたウェブブラウザを利用してインターネット２１に接続可能であり、インターネット２１を利用して不特定多数の他のサーバ（物理サーバや仮想サーバ）にアクセスかつログインすることができるとともに、インターネット２１において各種検索エンジンを利用することができる。スマートフォン１２やタブレット１３は、デジタル撮影機能（デジタルカメラ機能）を有する。
【００４８】
スマートフォン１２やタブレット１３の記憶領域には、それらを特定する携帯通信端末特定情報、それらを使用する権限を有する作業者の個人情報、決済者サーバ１４のＵＲＬが格納されている。スマートフォン１２やタブレット１３は、決済者サーバ１４のＵＲＬを使用して決済者サーバ１４にアクセスかつログインすることができ、インターネット２１を利用して各種情報を決済者サーバ１４に送信することができるとともに、インターネット２１を利用して各種情報を決済者サーバ１４から受信することができる。
【００４９】
携帯通信端末特定情報には、スマートフォン１２やタブレット１３のメールアドレス、Ｃｏｏｋｉｅ情報、固体識別番号等を利用することができる他、スマートフォン１２やタブレット１３がそれらを識別するユニークな識別子を独自に生成し、生成した識別子を携帯通信端末特定情報にすることもできる。個人情報には、ＩＤ番号やパスワード、作業者の氏名、作業者の住所、作業者の電話番号、作業者のＦＡＸ番号、年齢、性別、メールアドレス等がある。なお、このシステム１９を利用する作業者は、購入した商品の金額を自己の口座から引き落とす決済者と事前に決済契約を締結している。
【００５０】
決済者サーバ１４（決済者端末装置）や販売者サーバ１５ａ，１５ｂ（販売者端末装置）は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域（大容量ハードディスク等）を実装している。決済者サーバ１４は、作業者が購入した商品の代金を作業者の口座から引き落とす決済者が契約するデータセンター（クラウドを含む）に設置されている。なお、決済者サーバ１４が決済者の事業所に設置される場合もある。
【００５１】
販売者サーバ１５ａ，１５ｂ（販売者端末装置）は、土木建築現場１６や工事現場１７の仮設ハウス１８や作業員休憩所１９において作業者に弁当（商品）を販売する販売業者が契約するデータセンター（クラウドを含む）や土木建築器具や土木建築材料、工事器具、工事材料を販売する販売業者が契約するデータセンター（クラウドを含む）に設置されている。なお、販売者サーバ１５ａ，１５ｂが弁当の販売業者の事業所に設置され、土木建築器具や土木建築材料、工事器具、工事材料の販売業者の事業所に設置される場合もある。
【００５２】
決済者サーバ１４や販売者サーバ１５ａ，１５ｂは、ＤＮＳサーバ機能、データベースサーバ機能、Ｗｅｂサーバ機能、メールサーバ機能、ドキュメントサーバ機能の各種サーバ機能を有し、インターネット２１に接続された各種複数のＤＮＳサーバ等を経由しつつ、インターネット２１を利用してアクセス制限がない他のあらゆるサーバにアクセスかつログインすることができるとともに、インターネット２１において各種検索エンジンを利用することができる。決済者サーバ１４や販売者サーバ１５ａ，１５ｂには、図示はしていないが、キーボードやマウス等の入力装置、ディスプレイやプリンタ等の出力装置がインターフェイスを介して接続されている。
【００５３】
決済者サーバ１４の記憶領域には、スマートフォン１２やタブレット１３のＵＲＬおよびメールアドレス、スマートフォン１２やタブレット１３の携帯通信端末特定情報、販売者サーバ１５ａ，１５ｂのＵＲＬおよびメールアドレス、販売者サーバ１５ａ，１５ｂの販売者サーバ特定情報（販売者サーバ特定識別子）、販売者サーバ１５ａ，１５ｂの販売者個別情報、決済者個別情報、仮設ハウス１８や作業員休憩所１９において販売される商品名および販売価格が格納（記憶）されている。決済者個別情報には、決済者サーバ１４のＩＤ番号やパスワード、決済者の名称（法人名、代表者名等）、決済者の住所、決済者の電話番号、決済者のＦＡＸ番号等がある。
【００５４】
販売者サーバ１５ａ，１５ｂの記憶領域には、ＷｅｂサイトのＵＲＬ、決済者サーバ１４のＵＲＬおよびメールアドレス、決済者サーバ１４の決済者サーバ特定情報（決済者サーバ特定識別子）、決済者サーバ１４の決済者個別情報、デジタルサイネージ１１のＵＲＬ、デジタルサイネージ１１を特定するデジタルサイネージ特定情報（デジタルサイネージ特定識別子）、デジタルサイネージ個別情報、決済者個別情報、販売者個別情報が格納（記憶）されている。販売者個別情報には、販売者サーバ１５ａ，１５ｂのＩＤ番号やパスワード、販売者の名称（法人名、代表者名等）、販売者の住所、販売者の電話番号、販売者のＦＡＸ番号、販売者が販売する商品データ、販売者が販売する商品の宣伝データ等がある。なお、販売者は、作業者が購入した商品の代金から手数料を差し引いた金額を決済者が販売者に支払う契約を締結している。
【００５５】
図２は、デジタルサイネージ１１が設置された土木建築現場１６や工事現場１７の仮設ハウス１８や作業員休憩所１９の一例を示す図である。図２に示すように、デジタルサイネージ１１が土木建築現場１６や工事現場１７の仮設ハウス１８や作業員休憩所１９（各地の購入場所）に設置されると、デジタルサイネージ１１のコントロール装置は、デジタル通信装置を利用してインターネット２１に接続し、販売者サーバ１５ａ，１５ｂのＵＲＬを使用して販売者サーバ１５ａ，１５ｂにアクセスかつログインする。販売者サーバ１５ａ，１５ｂにログインしたデジタルサイネージ１１のコントロール装置は、デジタルサイネージ１１のＵＲＬ、デジタルサイネージ特定情報（デジタルサイネージ特定識別子）、デジタルサイネージ個別情報（購入場所情報）を販売者サーバ１５ａ，１５ｂに送信する（購入場所情報送信手段）。
【００５６】
購入場所情報送信手段によって送信されたデジタルサイネージ１１のＵＲＬやデジタルサイネージ特定情報、デジタルサイネージ個別情報は、販売者サーバ１５ａ，１５ｂの記憶領域に格納（記憶）される（デジタルサイネージデータ記憶手段）。販売者サーバ１５ａ，１５ｂは、デジタルサイネージ１１からデジタルサイネージ１１のＵＲＬやデジタルサイネージ特定情報、デジタルサイネージ個別情報が送信された後、デジタルサイネージ１１のＵＲＬを使用してデジタルサイネージ１１にアクセスかつログインし、デジタルサイネージ１１にＷｅｂサイトのＵＲＬ、販売者サーバ１５ａ，１５ｂのＵＲＬおよびメールアドレス、販売者サーバ１５ａ，１５ｂの販売者サーバ特定情報（販売者サーバ特定識別子）を送信する。販売者サーバ１５ａ，１５ｂから送信された販売者サーバ１５ａ，１５ｂのＵＲＬおよびメールアドレス、販売者サーバ特定情報は、デジタルサイネージ１１のコントロール装置の記憶領域に格納（記憶）される（販売者サーバデータ記憶手段）。
【００５７】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の弁当（商品）の弁当情報画像と弁当情報画像の弁当の価格および弁当の購入場所を示すＱＲコード（登録商標）２２（二次元バーコード）とを含む商品データをＷｅｂサイトに登録する（商品データ登録手段）。弁当の販売業者が古い弁当の販売を中止し、または、あらたな弁当を売り出す場合、各種複数の弁当の弁当情報画像を改変し、弁当情報画像の弁当の価格を改変する。販売者サーバ１５ａ，１５ｂは、弁当の内容を改変した場合、改変した各種複数の弁当（商品）の弁当情報画像と弁当情報画像の弁当の価格および弁当の購入場所を示すＱＲコード（登録商標）２２とを含む商品データをＷｅｂサイトにおいて更新する（商品データ更新手段）。
【００５８】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の土木建築器具（商品）の土木建築器具情報画像と土木建築器具情報画像の土木建築器具の価格および土木建築器具の購入場所を示すＱＲコード（登録商標）２２とを含む商品データをＷｅｂサイトに登録する（商品データ登録手段）。土木建築器具の販売業者が古い土木建築器具の販売を中止し、または、あらたな土木建築器具を売り出す場合、各種複数の土木建築器具の土木建築器具情報画像を改変し、土木建築器具情報画像の土木建築器具の価格を改変する。販売者サーバ１５ａ，１５ｂは、土木建築器具の内容を改変した場合、改変した各種複数の土木建築器具（商品）の土木建築器具情報画像と土木建築器具情報画像の土木建築器具の価格および土木建築器具の購入場所を示すＱＲコード（登録商標）２２とを含む商品データをＷｅｂサイトにおいて更新する（商品データ更新手段）。
【００５９】
販売者サーバ１５ａ，１５ｂは、各種複数の土木建築材料（商品）の土木建築材料情報画像と土木建築材料情報画像の土木建築材料の価格および土木建築材料の購入場所を示すＱＲコード（登録商標）２２とを含む商品データをＷｅｂサイトに登録する（商品データ登録手段）。土木建築材料の販売業者が古い土木建築材料の販売を中止し、または、あらたな土木建築材料を売り出す場合、各種複数の土木建築材料の土木建築材料情報画像を改変し、土木建築材料情報画像の土木建築材料の価格を改変する。販売者サーバ１５ａ，１５ｂは、土木建築材料の内容を改変した場合、改変した各種複数の土木建築材料（商品）の土木建築材料情報画像と土木建築材料情報画像の土木建築材料の価格および土木建築材料の購入場所を示すＱＲコード（登録商標）２２とを含む商品データをＷｅｂサイトにおいて更新する（商品データ更新手段）。
【００６０】
販売者サーバ１５ａ，１５ｂは、各種複数の工事器具（商品）の工事器具情報画像と工事器具情報画像の工事器具の価格および工事器具の購入場所を示すＱＲコード（登録商標）２２とを含む商品データをＷｅｂサイトに登録する（商品データ登録手段）。工事器具の販売業者が古い工事器具の販売を中止し、または、あらたな工事器具を売り出す場合、各種複数の工事器具の工事器具情報画像を改変し、工事器具情報画像の工事器具の価格を改変する。販売者サーバ１５ａ，１５ｂは、工事器具の内容を改変した場合、改変した各種複数の工事器具（商品）の工事器具情報画像と工事器具情報画像の工事器具の価格および工事器具の購入場所を示すＱＲコード（登録商標）２２とを含む商品データをＷｅｂサイトにおいて更新する（商品データ更新手段）。
【００６１】
販売者サーバ１５ａ，１５ｂは、各種複数の工事材料（商品）の工事材料情報画像と工事材料情報画像の工事材料の価格および工材料具の購入場所を示すＱＲコード（登録商標）２２とを含む商品データをＷｅｂサイトに登録する（商品データ登録手段）。工事材料の販売業者が古い工事材料の販売を中止し、または、あらたな工事材料を売り出す場合、各種複数の工事材料の工事材料情報画像を改変し、工事材料情報画像の工事材料の価格を改変する。販売者サーバ１５ａ，１５ｂは、工事材料の内容を改変した場合、改変した各種複数の工事材料（商品）の工事材料情報画像と工事材料情報画像の工事材料の価格および工事材料の購入場所を示すＱＲコード（登録商標）２２とを含む商品データをＷｅｂサイトにおいて更新する（商品データ更新手段）。
【００６２】
デジタルサイネージ１１のコントロール装置は、デジタル通信装置を利用してインターネット２１に接続し、ＷｅｂサイトのＵＲＬを使用してインターネット２１上に存在するＷｅｂサイトにアクセスかつログインし、各種複数の弁当（商品）の弁当情報画像と弁当情報画像の弁当の価格および弁当の購入場所を示すＱＲコード（登録商標）２２とを含む商品データをＷｅｂサイトから受信する（商品データ受信手段）。デジタルサイネージ１１のコントロール装置は、Ｗｅｂサイトから受信した弁当に関する商品データを記憶領域に格納（記憶）する（商品データ記憶手段）。
【００６３】
デジタルサイネージ１１のコントロール装置は、各種複数の土木建築器具（商品）の土木建築器具情報画像と土木建築器具情報画像の土木建築器具の価格および土木建築器具の購入場所を示すＱＲコード（登録商標）２２とを含む商品データをＷｅｂサイトから受信する（商品データ受信手段）。デジタルサイネージ１１のコントロール装置は、Ｗｅｂサイトから受信した土木建築器具に関する商品データを記憶領域に格納（記憶）する（商品データ記憶手段）。デジタルサイネージ１１のコントロール装置は、各種複数の土木建築材料（商品）の土木建築材料情報画像と土木建築材料情報画像の土木建築材料の価格および土木建築材料の購入場所を示すＱＲコード（登録商標）２２とを含む商品データをＷｅｂサイトから受信する（商品データ受信手段）。デジタルサイネージ１１のコントロール装置は、Ｗｅｂサイトから受信した土木建築材料に関する商品データを記憶領域に格納（記憶）する（商品データ記憶手段）。
【００６４】
デジタルサイネージ１１のコントロール装置は、各種複数の工事器具（商品）の工事器具情報画像と工事器具情報画像の工事器具の価格および工事器具の購入場所を示すＱＲコード（登録商標）２２とを含む商品データをＷｅｂサイトから受信する（商品データ受信手段）。デジタルサイネージ１１のコントロール装置は、Ｗｅｂサイトから受信した工事器具に関する商品データを記憶領域に格納（記憶）する（商品データ記憶手段）。デジタルサイネージ１１のコントロール装置は、各種複数の工事材料（商品）の工事材料情報画像と工事材料情報画像の工事材料の価格および工事材料の購入場所を示すＱＲコード（登録商標）２２とを含む商品データをＷｅｂサイトから受信する（商品データ受信手段）。デジタルサイネージ１１のコントロール装置は、Ｗｅｂサイトから受信した工事材料に関する商品データを記憶領域に格納（記憶）する（商品データ記憶手段）。
【００６５】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の弁当（商品）の宣伝データをＷｅｂサイトに登録する（宣伝データ登録手段）。弁当の販売業者が古い弁当の販売を中止し、または、あらたな弁当を売り出す場合、各種複数の弁当の宣伝情報を改変する。販売者サーバ１５ａ，１５ｂは、弁当の宣伝情報を改変した場合、改変した各種複数の弁当（商品）の宣伝データをＷｅｂサイトにおいて更新する（宣伝データ更新手段）。
【００６６】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の土木建築器具（商品）の宣伝データをＷｅｂサイトに登録する（宣伝データ登録手段）。土木建築器具の販売業者が古い土木建築器具の販売を中止し、または、あらたな土木建築器具を売り出す場合、各種複数の土木建築器具の宣伝情報を改変する。販売者サーバ１５ａ，１５ｂは、土木建築器具の宣伝情報を改変した場合、改変した各種複数の土木建築器具の宣伝データをＷｅｂサイトにおいて更新する（宣伝データ更新手段）。
【００６７】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の土木建築材料（商品）の宣伝データをＷｅｂサイトに登録する（宣伝データ登録手段）。土木建築材料の販売業者が古い土木建築材料の販売を中止し、または、あらたな土木建築材料を売り出す場合、各種複数の土木建築材料の宣伝情報を改変する。販売者サーバ１５ａ，１５ｂは、土木建築材料の宣伝情報を改変した場合、改変した各種複数の土木建築材料の宣伝データをＷｅｂサイトにおいて更新する（宣伝データ更新手段）。
【００６８】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の工事器具（商品）の宣伝データをＷｅｂサイトに登録する（宣伝データ登録手段）。工事器具の販売業者が古い工事器具の販売を中止し、または、あらたな工事器具を売り出す場合、各種複数の工事器具の宣伝情報を改変する。販売者サーバ１５ａ，１５ｂは、工事器具の宣伝情報を改変した場合、改変した各種複数の工事器具の宣伝データをＷｅｂサイトにおいて更新する（宣伝データ更新手段）。
【００６９】
販売者サーバ１５ａ，１５ｂは、インターネット２１に接続し、ＷｅｂサイトのＵＲＬを使用してインターネット２１上に存在するＷｅｂサイトにアクセスかつログインし、各種複数の工事材料（商品）の宣伝データをＷｅｂサイトに登録する（宣伝データ登録手段）。工事材料の販売業者が古い工事材料の販売を中止し、または、あらたな工事材料を売り出す場合、各種複数の工事材料の宣伝情報を改変する。販売者サーバ１５ａ，１５ｂは、工事材料の宣伝情報を改変した場合、改変した各種複数の工事材料の宣伝データをＷｅｂサイトにおいて更新する（宣伝データ更新手段）。
【００７０】
デジタルサイネージ１１のコントロール装置は、デジタル通信装置を利用してインターネット２１に接続し、ＷｅｂサイトのＵＲＬを使用してインターネット２１上に存在するＷｅｂサイトにアクセスかつログインし、各種複数の弁当（商品）の宣伝データをＷｅｂサイトから受信する（宣伝データ受信手段）。デジタルサイネージ１１のコントロール装置は、Ｗｅｂサイトから受信した弁当に関する宣伝データを記憶領域に格納（記憶）する（宣伝データ記憶手段）。
【００７１】
デジタルサイネージ１１のコントロール装置は、各種複数の土木建築器具（商品）の宣伝データをＷｅｂサイトから受信する（宣伝データ受信手段）。デジタルサイネージ１１のコントロール装置は、Ｗｅｂサイトから受信した土木建築器具に関する宣伝データを記憶領域に格納（記憶）する（宣伝データ記憶手段）。デジタルサイネージ１１のコントロール装置は、各種複数の土木建築材料（商品）の宣伝データをＷｅｂサイトから受信する（宣伝データ受信手段）。デジタルサイネージ１１のコントロール装置は、Ｗｅｂサイトから受信した土木建築材料に関する宣伝データを記憶領域に格納（記憶）する（宣伝データ記憶手段）。
【００７２】
デジタルサイネージ１１のコントロール装置は、各種複数の工事器具（商品）の宣伝データをＷｅｂサイトから受信する（宣伝データ受信手段）。デジタルサイネージ１１のコントロール装置は、Ｗｅｂサイトから受信した工事器具に関する宣伝データを記憶領域に格納（記憶）する（宣伝データ記憶手段）。デジタルサイネージ１１のコントロール装置は、各種複数の工事材料（商品）の宣伝データをＷｅｂサイトから受信する（宣伝データ受信手段）。デジタルサイネージ１１のコントロール装置は、Ｗｅｂサイトから受信した工事材料に関する宣伝データを記憶領域に格納（記憶）する（宣伝データ記憶手段）。
【００７３】
図３は、デジタルサイネージ１１のタッチディスプレイ２０（表示装置）に表示されたメニュー画面の一例を示す図であり、図４は、デジタルサイネージ１１のタッチディスプレイ２０に表示された弁当商品データ画面の一例を示す図である。図５は、デジタルサイネージ１１のタッチディスプレイ２０に表示された弁当購入画面の一例を示す図である。各種複数の商品データや宣伝データを記憶したデジタルサイネージ１１を起動させると、図３に示すメニュー画面がデジタルサイネージ１１のタッチディスプレイ２０に表示される。メニュー画面には、弁当購入ボタン３ａ、土木建築器具購入ボタン３ｂ、土木建築材料購入ボタン３ｃ、工事器具購入ボタン３ｄ、工事材料購入ボタン３ｅ、宣伝表示ボタン３ｆ、天候表示ボタン３ｇが表示される。
【００７４】
土木建築現場１６や工事現場１７の作業員が弁当を購入する場合、仮設ハウス１８や作業員休憩所１９に移動し、デジタルサイネージ１１のタッチディスプレイ２０に表示された弁当購入ボタン３ａをタップ（クリック）する。弁当購入ボタン３ａをタップすると、デジタルサイネージ１１のタッチディスプレイ２０には、図４に示す弁当商品データ画面が表示される。弁当商品データ画面には、各種複数の弁当（商品）の静止画を表示した複数の弁当画像表示エリア４ａ、スクロールボタン４ｂが表示される（商品データ表示手段）。スクロールボタンをタップすると、次ページの弁当商品データ画面が表示される。それら弁当画像表示エリア４ａから所定の弁当をタップ（選択）すると、図示はしていないが、デジタルサイネージ１１のタッチディスプレイ２０に弁当購入画面が表示される。
【００７５】
弁当購入画面には、選択した弁当の静止画を表示した弁当画像表示エリア（商品データ表示手段）、選択した弁当の宣伝データ（宣伝データ表示手段）、弁当購入ボタン、キャンセルボタンが表示される。弁当画像表示エリアには、選択した弁当画像の弁当の価格および弁当の購入場所（注文場所）を示すＱＲコード（登録商標）２２（二次元バーコード）が表示される。キャンセルボタンをタップすると、図３のメニュー画面に戻る（以下のキャンセルボタンも同様）。弁当購入画面に表示された弁当画像表示エリアの弁当を購入する場合、作業者は、弁当購入ボタンをタップする。弁当購入ボタンをタップすると、デジタルサイネージ１１のタッチディスプレイ２０に図５に示す弁当購入確定画面が表示される。
【００７６】
弁当購入確定画面には、購入した弁当の静止画およびＱＲコード（登録商標）２２を表示した弁当画像表示エリア５ａ（商品データ表示手段）、購入した弁当の宣伝データ５ｂ（宣伝データ表示手段）、購入確定ボタン５ｃ、キャンセルボタン５ｄが表示される。購入確定ボタン５ｃをタップすると、ＱＲコード（登録商標）読み取り指示メッセージが弁当購入確定画面に表示される。作業者は、スマートフォン１２またはタブレット１３のタッチ画面のＱＲコード（登録商標）アイコンをタップし、ＱＲコード（登録商標）読み取り指示メッセージにしたがって弁当画像表示エリア５ａに表示されたＱＲコード（登録商標）２２をスマートフォン１２またはタブレット１３に読み込む。
【００７７】
ＱＲコード（登録商標）２２を読み込むと、図示はしていないが、スマートフォン１２またはタブレット１３のタッチ画面には、ＱＲコード（登録商標）読み取り確認ボタンが表示される。なお、弁当の購入をキャンセルする場合は、スマートフォン１２やタブレット１３の戻るボタンをタップする。作業者がＱＲコード（登録商標）読み取り確認ボタンをタップすると、購入受付メッセージ、購入した弁当画像、弁当金額、決済ボタンがスマートフォン１２またはタブレット１３のタッチ画面に表示される。
【００７８】
作業者が決済ボタンをタップすると、弁当の購入が完了するとともに（商品購入手段）、読み込んだＱＲコード（登録商標）２２が示す商品データ（弁当の弁当情報画像と弁当情報画像の弁当の価格および弁当の購入場所）を含む弁当（購入商品）の購入確定情報、作業者の個人情報（作業者氏名）がインターネット２１を介して決済者サーバ１４に送信される（購入確定情報送信手段）。
【００７９】
決済者サーバ１４は、スマートフォン１２やタブレット１３から商品データを含む弁当（購入商品）の購入確定情報を受信すると、商品データ、デジタルサイネージ１１を設置した土木建築現場１６や工事現場１７の仮設ハウス１８や作業員休憩所１９への購入した弁当（購入商品）の配送依頼、作業者の個人情報（作業者氏名）をインターネット２１を介して販売者サーバ１５ａに送信する（商品配送送信手段）。さらに、作業者が購入した弁当の代金を作業者の口座から引き落とす（代金決済手段）。なお、弁当の代金は、弁当を購入した都度引き落とされる場合、または、月末に一括して引き落とされる等、作業者が自由に決めることができる。作業者は、弁当の代金をスマートフォン１２やタブレット１３にチャージされた電子マネーによって支払うこともできる。この場合、弁当の購入時にその弁当の代金が電子マネーによって直ちに支払われる（代金決済手段）。
【００８０】
販売者サーバ１５ａは、商品配送送信手段によって決済者サーバ１４から送信された弁当（購入商品）の配送指示（配送場所、配送日時、購入者氏名を含む）をディスプレイ（表示装置）やプリンタから出力する（配送指示出力手段）。販売業者は、配送指示にしたがって配送日時に弁当を土木建築現場１６や工事現場１７の仮設ハウス１８や作業員休憩所１９に配送する。作業者が購入した弁当の代金から手数料（決済業者の手数料）を差し引いた金額が後日決済業者から販売業者に支払われる（振り込まれる）。
【００８１】
図６は、デジタルサイネージ１１のタッチディスプレイ２０に表示された土木建築器具購入確定画面の一例を示す図である。土木建築現場１６や工事現場１７の作業員が土木建築器具を購入する場合、仮設ハウス１８や作業員休憩所１９に移動し、デジタルサイネージ１１のタッチディスプレイ２０に表示された土木建築器具購入ボタン３ｂをタップ（クリック）する。土木建築器具購入ボタン３ｂをタップすると、図示はしていないが、デジタルサイネージ１１のタッチディスプレイ２０に土木建築器具商品データ画面が表示される。
【００８２】
土木建築器具商品データ画面には、各種複数の土木建築器具（商品）の静止画を表示した複数の土木建築器具画像表示エリア、スクロールボタンが表示される（商品データ表示手段）。スクロールボタンをタップすると、次ページの土木建築器具商品データ画面が表示される。それら土木建築器具画像表示エリアから所定の土木建築器具をタップ（選択）すると、図示はしていないが、デジタルサイネージ１１のタッチディスプレイ２０に土木建築器具購入画面が表示される。
【００８３】
土木建築器具購入画面には、選択した土木建築器具（バール）の静止画を表示した土木建築器具画像表示エリア（商品データ表示手段）、選択した土木建築器具の宣伝データ（宣伝データ表示手段）、土木建築器具購入ボタン、キャンセルボタンが表示される。木建築器具画像表示エリアには、選択した土木建築器具画像の土木建築器具の価格および土木建築器具の購入場所（注文場所）を示すＱＲコード（登録商標）２２（二次元バーコード）が表示される。土木建築器具購入画面に表示された土木建築器具画像表示エリアの土木建築器具を購入する場合、作業者は、土木建築器具購入ボタンをタップする。土木建築器具購入ボタンをタップすると、デジタルサイネージ１１のタッチディスプレイ２０に図６に示す土木建築器具購入確定画面が表示される。
【００８４】
土木建築器具購入確定画面には、購入した土木建築器具の静止画およびＱＲコード（登録商標）２２を表示した土木建築器具情報画像表示エリア６ａ（商品データ表示手段）、購入した土木建築器具の宣伝データ６ｂ（宣伝データ表示手段）、購入確定ボタン６ｃ、キャンセルボタン６ｄが表示される。購入確定ボタン６ｃをタップすると、ＱＲコード（登録商標）読み取り指示メッセージが土木建築器具購入確定画面に表示される。作業者は、スマートフォン１２またはタブレット１３のタッチ画面のＱＲコード（登録商標）アイコンをタップし、ＱＲコード（登録商標）読み取り指示メッセージにしたがって土木建築器具情報画像表示エリア６ａに表示されたＱＲコード（登録商標）２２をスマートフォン１２またはタブレット１３に読み込む。
【００８５】
ＱＲコード（登録商標）２２を読み込むと、図示はしていないが、スマートフォン１２またはタブレット１３のタッチ画面には、ＱＲコード（登録商標）読み取り確認ボタンが表示される。なお、土木建築器具の購入をキャンセルする場合は、スマートフォン１２やタブレット１３の戻るボタンをタップする。作業者がＱＲコード（登録商標）読み取り確認ボタンをタップすると、購入受付メッセージ、購入した土木建築器具画像、土木建築器具金額、決済ボタンがスマートフォン１２またはタブレット１３のタッチ画面に表示される。
【００８６】
作業者が決済ボタンをタップすると、土木建築器具の購入が完了するとともに（商品購入手段）、読み込んだＱＲコード（登録商標）２２が示す商品データ（土木建築器具の土木建築器具情報画像と土木建築器具情報画像の土木建築器具の価格および土木建築器具の購入場所）を含む土木建築器具（購入商品）の購入確定情報、作業者の個人情報（作業者氏名）がインターネット２１を介して決済者サーバ１４に送信される（購入確定情報送信手段）。
【００８７】
決済者サーバ１４は、スマートフォン１２やタブレット１３から商品データを含む土木建築器具（購入商品）の購入確定情報を受信すると、商品データ、デジタルサイネージ１１を設置した土木建築現場１６や工事現場１７の仮設ハウス１８や作業員休憩所１９への購入した土木建築器具（購入商品）の配送依頼、作業者の個人情報（作業者氏名）をインターネット２１を介して販売者サーバ１５ｂに送信する（商品配送送信手段）。さらに、作業者が購入した土木建築器具の代金を作業者の口座から引き落とす（代金決済手段）。なお、土木建築器具の代金は、土木建築器具を購入した都度引き落とされる場合、または、月末に一括して引き落とされる等、作業者が自由に決めることができる。作業者は、土木建築器具の代金をスマートフォン１２やタブレット１３にチャージされた電子マネーによって支払うこともできる。この場合、土木建築器具の購入時にその土木建築器具の代金が電子マネーによって直ちに支払われる（代金決済手段）。
【００８８】
販売者サーバ１５ｂは、商品配送送信手段によって決済者サーバ１４から送信された土木建築器具（購入商品）の配送指示（配送場所、配送日時、購入者氏名を含む）をディスプレイ（表示装置）やプリンタから出力する（配送指示出力手段）。販売業者は、配送指示にしたがって配送日時に土木建築器具を土木建築現場１６や工事現場１７の仮設ハウス１８や作業員休憩所１９に配送する。作業者が購入した土木建築器具の代金から手数料（決済業者の手数料）を差し引いた金額が後日決済業者から販売業者に支払われる（振り込まれる）。
【００８９】
図７は、デジタルサイネージ１１のタッチディスプレイ２０に表示された土木建築材料購入確定画面の一例を示す図である。土木建築現場１６や工事現場１７の作業員が土木建築材料を購入する場合、仮設ハウス１８や作業員休憩所１９に移動し、デジタルサイネージ１１のタッチディスプレイ２０に表示された土木建築材料購入ボタン３ｃをタップ（クリック）する。土木建築材料購入ボタン３ｃをタップすると、図示はしていないが、デジタルサイネージ１１のタッチディスプレイ２０に土木建築材料商品データ画面が表示される。
【００９０】
土木建築材料商品データ画面には、各種複数の土木建築材料（商品）の静止画を表示した複数の土木建築材料画像表示エリア、スクロールボタンが表示される（商品データ表示手段）。スクロールボタンをタップすると、次ページの土木建築材料商品データ画面が表示される。それら土木建築材料画像表示エリアから所定の土木建築材料をタップ（選択）すると、図示はしていないが、デジタルサイネージ１１のタッチディスプレイ２０に土木建築材料購入画面が表示される。
【００９１】
土木建築材料購入画面には、選択した土木建築材料（ドア）の静止画を表示した土木建築材料画像表示エリア（商品データ表示手段）、選択した土木建築材料の宣伝データ（宣伝データ表示手段）、土木建築材料購入ボタン、キャンセルボタンが表示される。土木建築材料画像表示エリアには、土木建築材料画像の土木建築材料の価格および土木建築材料の購入場所（注文場所）を示すＱＲコード（登録商標）２２（二次元バーコード）が表示される。土木建築材料購入画面に表示された土木建築材料情報画像表示エリアの土木建築材料を購入する場合、作業者は、土木建築材料購入ボタンをタップする。土木建築材料購入ボタンをタップすると、デジタルサイネージ１１のタッチディスプレイ２０に図７に示す土木建築材料購入確定画面が表示される。
【００９２】
土木建築材料購入確定画面には、購入した土木建築材料の静止画およびＱＲコード（登録商標）２２を表示した土木建築材料画像表示エリア７ａ（商品データ表示手段）、購入した土木建築材料の宣伝データ７ｂ（宣伝データ表示手段）、購入確定ボタン７ｃ、キャンセルボタン７ｄが表示される。購入確定ボタン７ｃをタップすると、ＱＲコード（登録商標）読み取り指示メッセージが土木建築材料購入確定画面に表示される。作業者は、スマートフォン１２またはタブレット１３のタッチ画面のＱＲコード（登録商標）アイコンをタップし、ＱＲコード（登録商標）読み取り指示メッセージにしたがって土木建築材料画像表示エリア７ａに表示されたＱＲコード（登録商標）２２をスマートフォン１２またはタブレット１３に読み込む。
【００９３】
ＱＲコード（登録商標）２２を読み込むと、図示はしていないが、スマートフォン１２またはタブレット１３のタッチ画面には、ＱＲコード（登録商標）読み取り確認ボタンが表示される。なお、土木建築材料の購入をキャンセルする場合は、スマートフォン１２やタブレット１３の戻るボタンをタップする。作業者がＱＲコード（登録商標）読み取り確認ボタンをタップすると、購入受付メッセージ、購入した土木建築材料画像、土木建築材料金額、決済ボタンがスマートフォン１２またはタブレット１３のタッチ画面に表示される。
【００９４】
作業者が決済ボタンをタップすると、土木建築材料の購入が完了するとともに（商品購入手段）、読み込んだＱＲコード（登録商標）２２が示す商品データ（土木建築材料の土木建築材料情報画像と土木建築材料情報画像の土木建築材料の価格および土木建築材料の購入場所）を含む土木建築材料（購入商品）の購入確定情報、作業者の個人情報（作業者氏名）がインターネット２１を介して決済者サーバ１４に送信される（購入確定情報送信手段）。
【００９５】
決済者サーバ１４は、スマートフォン１２やタブレット１３から商品データを含む土木建築材料（購入商品）の購入確定情報を受信すると、商品データ、デジタルサイネージ１１を設置した土木建築現場１６や工事現場１７の仮設ハウス１８や作業員休憩所１９への購入した土木建築材料（購入商品）の配送依頼、作業者の個人情報（作業者氏名）をインターネット２１を介して販売者サーバ１５ｂに送信する（商品配送送信手段）。さらに、作業者が購入した土木建築材料の代金を作業者の口座から引き落とす（代金決済手段）。なお、土木建築材料の代金は、土木建築材料を購入した都度引き落とされる場合、または、月末に一括して引き落とされる等、作業者が自由に決めることができる。作業者は、土木建築材料の代金をスマートフォン１２やタブレット１３にチャージされた電子マネーによって支払うこともできる。この場合、土木建築材料の購入時にその土木建築材料の代金が電子マネーによって直ちに支払われる（代金決済手段）。
【００９６】
販売者サーバ１５ｂは、商品配送送信手段によって決済者サーバ１４から送信された土木建築材料（購入商品）の配送指示（配送場所、配送日時、購入者氏名を含む）をディスプレイ（表示装置）やプリンタから出力する（配送指示出力手段）。販売業者は、配送指示にしたがって配送日時に土木建築材料を土木建築現場や工事現場の仮設ハウスや作業員休憩所に配送する。作業者が購入した土木建築材料の代金から手数料（決済業者の手数料）を差し引いた金額が後日決済業者から販売業者に支払われる（振り込まれる）。
【００９７】
図８は、デジタルサイネージ１１のタッチディスプレイ２０に表示された工事器具購入確定画面の一例を示す図である。土木建築現場１６や工事現場１７の作業員が工事器具を購入する場合、仮設ハウス１８や作業員休憩所１９に移動し、デジタルサイネージ１１のタッチディスプレイ２０に表示された工事器具購入ボタン３ｄをタップ（クリック）する。工事器具購入ボタン３ｄをタップすると、図示はしていないが、デジタルサイネージ１１のタッチディスプレイ２０に工事器具商品データ画面が表示される。
【００９８】
工事器具商品データ画面には、各種複数の工事器具（商品）の静止画を表示した複数の工事器具画像表示エリア、スクロールボタンが表示される（商品データ表示手段）。スクロールボタンをタップすると、次ページの工事器具商品データ画面が表示される。それら工事器具画像表示エリアから所定の工事工具をタップ（選択）すると、図示はしていないが、デジタルサイネージ１１のタッチディスプレイ２０に工事器具購入画面が表示される。
【００９９】
工事器具購入画面には、選択した工事工具（スコップ）の静止画を表示した工事器具画像表示エリア（商品データ表示手段）、選択した工事器具の宣伝データ（宣伝データ表示手段）、工事器具購入ボタン、キャンセルボタンが表示される。工事器報画像表示エリアには、工事器具画像の工事器具の価格および工事器具の購入場所（注文場所）を示すＱＲコード（登録商標）２２（二次元バーコード）が表示される。工事器具購入画面に表示された工事器具画像表示エリアの工事器具を購入する場合、作業者は、工事器具購入ボタンをタップする。工事器具購入ボタンをタップすると、デジタルサイネージ１１のタッチディスプレイ２０に図８に示す工事器具購入確定画面が表示される。
【０１００】
工事器具購入確定画面には、購入した工事工具の静止画およびＱＲコード（登録商標）を表示した工事器具情報画像表示エリア８ａ（商品データ表示手段）、購入した工事器具の宣伝データ８ｂ（宣伝データ表示手段）、購入確定ボタン８ｃ、キャンセルボタン８ｄが表示される。購入確定ボタン８ｃをタップすると、ＱＲコード（登録商標）読み取り指示メッセージが工事器具購入確定画面に表示される。作業者は、スマートフォン１２またはタブレット１３のタッチ画面のＱＲコード（登録商標）アイコンをタップし、ＱＲコード（登録商標）読み取り指示メッセージにしたがって工事器具購入確定画面に表示されたＱＲコード（登録商標）２２をスマートフォン１２またはタブレット１３に読み込む。
【０１０１】
ＱＲコード（登録商標）２２を読み込むと、図示はしていないが、スマートフォン１２またはタブレット１３のタッチ画面には、ＱＲコード（登録商標）読み取り確認ボタンが表示される。なお、工事器具の購入をキャンセルする場合は、スマートフォン１２やタブレット１３の戻るボタンをタップする。作業者がＱＲコード（登録商標）読み取り確認ボタンをタップすると、購入受付メッセージ、購入した工事器具画像、工事器具金額、決済ボタンがスマートフォン１２またはタブレット１３のタッチ画面に表示される。
【０１０２】
作業者が決済ボタンをタップすると、工事器具の購入が完了するとともに（商品購入手段）、読み込んだＱＲコード（登録商標）２２が示す商品データ（工事器具の工事器具情報画像と工事器具情報画像の工事器具の価格および工事器具の購入場所）を含む工事器具（購入商品）の購入確定情報、作業者の個人情報（作業者氏名）がインターネット２１を介して決済者サーバ１４に送信される（購入確定情報送信手段）。
【０１０３】
決済者サーバ１４は、スマートフォン１２やタブレット１３から商品データを含む工事器具（購入商品）の購入確定情報を受信すると、商品データ、デジタルサイネージ１１を設置した土木建築現場１６や工事現場１７の仮設ハウス１８や作業員休憩所１９への購入した工事器具（購入商品）の配送依頼、作業者の個人情報（作業者氏名）をインターネット２１を介して販売者サーバ１５ｂに送信する（商品配送送信手段）。さらに、作業者が購入した工事器具の代金を作業者の口座から引き落とす（代金決済手段）。なお、工事器具の代金は、工事器具を購入した都度引き落とされる場合、または、月末に一括して引き落とされる等、作業者が自由に決めることができる。作業者は、工事器具の代金をスマートフォン１２やタブレット１３にチャージされた電子マネーによって支払うこともできる。この場合、工事器具の購入時にその工事器具の代金が電子マネーによって直ちに支払われる（代金決済手段）。
【０１０４】
販売者サーバ１５ｂは、商品配送送信手段によって決済者サーバ１４から送信された工事器具（購入商品）の配送指示（配送場所、配送日時、購入者氏名を含む）をディスプレイ（表示装置）やプリンタから出力する（配送指示出力手段）。販売業者は、配送指示にしたがって配送日時に工事器具を土木建築現場や工事現場の仮設ハウスや作業員休憩所に配送する。作業者が購入した工事器具の代金から手数料（決済業者の手数料）を差し引いた金額が後日決済業者から販売業者に支払われる（振り込まれる）。
【０１０５】
図９は、デジタルサイネージ１１のタッチディスプレイ２０に表示された工事材料購入確定画面の一例を示す図である。土木建築現場１６や工事現場１７の作業員が工事材料を購入する場合、仮設ハウス１８や作業員休憩所１９に移動し、デジタルサイネージ１１のタッチディスプレイ２０に表示された工事材料購入ボタン３ｅをタップ（クリック）する。工事材料購入ボタン３ｅをタップすると、図示はしていないが、デジタルサイネージ１１のタッチディスプレイ２０に工事材料商品データ画面が表示される。
【０１０６】
工事材料商品データ画面には、各種複数の工事材料（商品）の静止画を表示した複数の工事材料画像表示エリア、スクロールボタンが表示される（商品データ表示手段）。スクロールボタンをタップすると、次ページの工事材料商品データ画面が表示される。それら工事材料画像表示エリアから所定の工事材料をタップ（選択）すると、図示はしていないが、デジタルサイネージ１１のタッチディスプレイ２０に工事材料購入画面が表示される。
【０１０７】
工事材料購入画面には、選択した工事材料（ブロック）の静止画を表示した工事材料画像表示エリア（商品データ表示手段）、選択した工事材料の宣伝データ（宣伝データ表示手段）、工事材料購入ボタン、キャンセルボタンが表示される。工事材料画像表示エリアには、工事材料画像の工事材料の価格および工事材料の購入場所（注文場所）を示すＱＲコード（登録商標）２２（二次元バーコード）が表示される。工事材料購入画面に表示された工事材料画像表示エリアの工材料具を購入する場合、作業者は、工事材料購入ボタンをタップする。工事材料購入ボタンをタップすると、デジタルサイネージ１１のタッチディスプレイ２０に図９に示す工事材料購入確定画面が表示される。
【０１０８】
工事材料購入確定画面には、購入した工事材料の静止画を表示した工事材料画像表示エリア９ａ（商品データ表示手段）、購入した工事材料の宣伝データ９ｂ（宣伝データ表示手段）、購入確定ボタン９ｃ、キャンセルボタン９ｄが表示される。購入確定ボタン９ｃをタップすると、ＱＲコード（登録商標）読み取り指示メッセージが工事材料購入確定画面に表示される。作業者は、スマートフォン１２またはタブレット１３のタッチ画面のＱＲコード（登録商標）アイコンをタップし、ＱＲコード（登録商標）読み取り指示メッセージにしたがって工事材料画像表示エリア９ａに表示されたＱＲコード（登録商標）２２をスマートフォン１２またはタブレット１３に読み込む。
【０１０９】
ＱＲコード（登録商標）２２を読み込むと、図示はしていないが、スマートフォン１２またはタブレット１３のタッチ画面には、ＱＲコード（登録商標）読み取り確認ボタンが表示される。なお、工事材料の購入をキャンセルする場合は、スマートフォン１２やタブレット１３の戻るボタンをタップする。作業者がＱＲコード（登録商標）読み取り確認ボタンをタップすると、購入受付メッセージ、購入した工事材料画像、工事材料金額、決済ボタンがスマートフォン１２またはタブレット１３のタッチ画面に表示される。
【０１１０】
作業者が決済ボタンをタップすると、工事材料の購入が完了するとともに（商品購入手段）、読み込んだＱＲコード（登録商標）２２が示す商品データ（工事材料の工事材料情報画像と工事材料情報画像の工事材料の価格および工事材料の購入場所）を含む工事材料（購入商品）の購入確定情報、作業者の個人情報（作業者氏名）がインターネット２１を介して決済者サーバ１４に送信される（購入確定情報送信手段）。
【０１１１】
決済者サーバ１４は、スマートフォン１２やタブレット１３から商品データを含む工事材料（購入商品）の購入確定情報を受信すると、商品データ、デジタルサイネージ１１を設置した土木建築現場１６や工事現場１７の仮設ハウス１８や作業員休憩所１９への購入した工事材料（購入商品）の配送依頼、作業者の個人情報（作業者氏名）をインターネット２１を介して販売者サーバ１５ｂに送信する（商品配送送信手段）。さらに、作業者が購入した工事材料の代金を作業者の口座から引き落とす（代金決済手段）。なお、工事材料の代金は、工事材料を購入した都度引き落とされる場合、または、月末に一括して引き落とされる等、作業者が自由に決めることができる。作業者は、工事材料の代金をスマートフォン１２やタブレット１３にチャージされた電子マネーによって支払うこともできる。この場合、工事材料の購入時にその工事材料の代金が電子マネーによって直ちに支払われる（代金決済手段）。
【０１１２】
販売者サーバ１５ｂは、商品配送送信手段によって決済者サーバ１４から送信された工事材料（購入商品）の配送指示（配送場所、配送日時、購入者氏名を含む）をディスプレイ（表示装置）やプリンタから出力する（配送指示出力手段）。販売業者は、配送指示にしたがって配送日時に工事材料を土木建築現場や工事現場の仮設ハウスや作業員休憩所に配送する。作業者が購入した工事材料の代金から手数料（決済業者の手数料）を差し引いた金額が後日決済業者から販売業者に支払われる（振り込まれる）。
【０１１３】
商品販売システム１０は、弁当や土木建築器具、土木建築材料、工事器具、工事材料の販売環境が整っていないにもかかわらずそれら商品に対するニーズがあるとともにそれら商品の購入意欲が高い作業者が集まる土木建築現場１６の仮設ハウス１８または作業員休憩所１９、工事現場１７の仮設ハウス１８または作業員休憩所１９にデジタルサイネージ１１を設置し、デジタルサイネージ１１が各種複数の弁当や各種複数の土木建築器具、各種複数の土木建築材料、各種複数の工事器具、各種複数の工事材料とそれらの価格、土木建築現場１６および工事現場１７を示すＱＲコード（登録商標）２２（二次元バーコード）とを含む商品データをタッチディスプレイ２０（表示装置）に表示し、作業者がスマートフォン１２やタブレット１３を利用してＱＲコード（登録商標）２２を読み取り、それらの商品を購入するから、土木建築現場１６や工事現場１７の仮設ハウス１８や作業員休憩所１９（商品購入不便エリア）において作業者が弁当や土木建築器具、土木建築材料、工事器具、工事材料（各種複数の商品）を何時でも自由に購入することができ、作業者が急な作業や急な活動に必要な商品を迅速に手に入れることができ、作業者が土木建築現場１６や工事現場１７において所定の作業や所定の活動を滞りなく円滑に行うことができる。
【０１１４】
商品販売システム１０は、決済者サーバ１４（決済者端末装置）が作業者の口座から購入商品の代金を引き落とし、または、スマートフォン１２やタブレット１３にチャージされた電子マネーによって支払うから、土木建築現場１６や工事現場１７の仮設ハウス１８や作業員休憩所１９（商品購入不便エリア）において作業者がキャッシュレスで弁当や土木建築器具、土木建築材料、工事器具、工事材料（各種複数の商品）を購入することができ、購入後に弁当や土木建築器具、土木建築材料、工事器具、工事材料の代金を決済者が購入者の口座から引き落とし、または、電子マネーによって弁当や土木建築器具、土木建築材料、工事器具、工事材料の代金の支払を受けることで、販売者に対する弁当や土木建築器具、土木建築材料、工事器具、工事材料の代金の未払いを防ぐことができる。
【０１１５】
商品販売システム１０は、販売者サーバ１５ａ，１５ｂ（販売店端末装置）が各種複数の弁当の弁当情報画像と弁当情報画像の弁当の価格、弁当の購入場所を示すＱＲコード（登録商標）２２（二次元バーコード）とを含む商品データをＷｅｂサイトに登録するとともに、各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すＱＲコード（登録商標）２２（二次元バーコード）とを含む商品データをＷｅｂサイトに登録することで、デジタルサイネージ１１が各種複数の弁当の弁当情報画像と弁当情報画像の弁当の価格、弁当の購入場所を示すＱＲコード（登録商標）２２とを含む商品データや各種複数の土木建築器具の土木建築器具情報画像、各種複数の土木建築材料の土木建築材料情報画像、各種複数の工事器具の工事器具情報画像、各種複数の工事材料の工事材料情報画像と土木建築器具情報画像の土木建築器具の価格、土木建築器具の購入場所、土木建築材料情報画像の土木建築材料の価格、土木建築材料の購入場所、工事器具情報画像の工事器具の価格、工事器具の購入場所、工事材料情報画像の工事材料の価格、工事材料の購入場所を示すＱＲコード（登録商標）２２とを含む商品データをＷｅｂサイトから受信することができ、デジタルサイネージ１１を利用して土木建築現場１６や工事現場１７（商品購入不便エリア）において販売業者（販売者）が各種複数の弁当や各種複数の土木建築器具、各種複数の土木建築材料、各種複数の工事器具、各種複数の工事材料を販売することができる。
【０１１６】
商品販売システム１０は、土木建築現場１６の土木建築期間の終了や工事現場１７の工事期間の終了によってそれら現場１６，１７の仮設ハウス１８または作業員休憩所１９からデジタルサイネージ１１を撤去するとともに、次の土木建築現場１６や工事現場１７の仮設ハウス１８や作業員休憩所１９にデジタルサイネージ１１を設置することで、土木や建設が完了した土木建築現場１６からあらたな土木建築現場１６にデジタルサイネージ１１を順に設置することができるとともに、工事が完了した工事現場１７からあらたな工事現場１７に順にデジタルサイネージ１１を設置することができ、あらたな土木建築現場１６やあらたな工事現場１７の仮設ハウス１８または作業員休憩所１９において販売業者（販売者）が各種複数の弁当や土木建築器具、土木建築材料、工事器具、工事材料（各種複数の商品）を販売することができるとともに、あらたな土木建築現場１６やあらたな工事現場１７の仮設ハウス１８や作業員休憩所１９（商品購入不便エリア）において作業者が弁当や土木建築器具、土木建築材料、工事器具、工事材料（各種複数の商品）を何時でも自由に購入することができる。
【０１１７】
図１０は、デジタルサイネージ１１のタッチディスプレイ２０に表示された弁当宣伝画面の一例を示す図である。土木建築現場１６や工事現場１７の作業員が弁当の宣伝を見るには、デジタルサイネージ１１のタッチディスプレイ２０に表示された宣伝表示ボタン３ｆをタップ（クリック）する。宣伝表示ボタン３ｆをタップすると、図示はしていないが、宣伝選択画面がデジタルサイネージ１１のタッチディスプレイ２０に表示される。宣伝選択画面には、弁当宣伝ボタン、土木建築器具宣伝ボタン、土木建築材料宣伝ボタン、工事器具宣伝ボタン、工事材料宣伝ボタン、キャンセルボタンが表示される。
【０１１８】
作業者が宣伝選択画面から弁当宣伝ボタンをタップすると、図示はしていないが、各種複数の弁当（商品）の静止画を表示した複数の弁当画像表示エリア、スクロールボタン、キャンセルボタンがデジタルサイネージ１１のタッチディスプレイ２０に表示される。弁当画像表示エリアから所定の弁当画像をタップ（選択）すると、図１０に示す弁当宣伝画面がデジタルサイネージ１１のタッチディスプレイ２０に表示される（宣伝データ表示手段）。
【０１１９】
弁当宣伝画面には、所定の弁当（商品）の動画または静止画の宣伝画像を表示した弁当宣伝画像表示エリア１０ａ、選択した弁当の宣伝データ１０ｂ、弁当購入ボタン１０ｃ、キャンセルボタン１０ｄ、スクロールボタン１０ｅが表示される。スクロールボタン１０ｅをタップすると、次ページの弁当宣伝画面が表示される。弁当購入ボタン１０ｃをタップすると、デジタルサイネージ１１のタッチディスプレイ２０に弁当購入画面が表示され、既述の手順によって宣伝画像に表示された弁当（幕の内弁当）を購入することができる（商品購入手段）。
【０１２０】
なお、弁当に関する宣伝データはデジタルサイネージ１１の記憶領域に格納されているが、作業者が弁当宣伝ボタンをタップした後に、デジタルサイネージ１１が各種複数の弁当（商品）の宣伝データをＷｅｂサイトから受信し、受信した宣伝データの弁当宣伝画面をタッチディスプレイ２０に表示することもできる（宣伝データ表示手段）。
【０１２１】
図１１は、デジタルサイネージ１１のタッチディスプレイ２０に表示された土木建築器具宣伝画面の一例を示す図である。土木建築現場や工事現場の作業員が土木建築器具の宣伝を見るには、デジタルサイネージ１１のタッチディスプレイ２０に表示された宣伝表示ボタン３Ｆをタップし、さらに、デジタルサイネージ１１のタッチディスプレイ２９に表示された宣伝選択画面から土木建築器具宣伝ボタンをタップする。土木建築器具宣伝ボタンをタップすると、図示はしていないが、各種複数の土木建築器具（商品）の静止画を表示した複数の土木建築器具画像表示エリア、スクロールボタン、キャンセルボタンがデジタルサイネージ１１のタッチディスプレイ２０に表示される。土木建築器具画像表示エリアから所定の土木建築器具をタップ（選択）すると、図１１に示す土木建築器具宣伝画面がデジタルサイネージ１１のタッチディスプレイ２０に表示される（宣伝データ表示手段）。
【０１２２】
土木建築器具宣伝画面には、所定の土木建築器具（商品）の動画または静止画の宣伝画像を表示した土木建築器具宣伝画像表示エリア１１ａ、選択した土木建築器具（ドリルドライバー）の宣伝データ１１ｂ、土木建築器具購入ボタン１１ｃ、キャンセルボタン１１ｄ、スクロールボタン１１ｅが表示される。スクロールボタン１１ｅをタップすると、次ページの土木建築器具宣伝画面が表示される。土木建築器具購入ボタン１１ｃをタップすると、デジタルサイネージ１１のタッチディスプレイ２０に土木建築器具購入画面が表示され、既述の手順によって宣伝画像に表示された土木建築器具（ドリルドライバー）を購入することができる（商品購入手段）。
【０１２３】
なお、土木建築器具に関する宣伝データはデジタルサイネージ１１の記憶領域に格納されているが、作業者が土木建築器具宣伝ボタンをタップした後に、デジタルサイネージ１１が各種複数の土木建築器具（商品）の宣伝データをＷｅｂサイトから受信し、受信した宣伝データの土木建築器具宣伝画面をタッチディスプレイ２０に表示することもできる（宣伝データ表示手段）。
【０１２４】
図１２は、デジタルサイネージ１１のタッチディスプレイ２０に表示された土木建築材料宣伝画面の一例を示す図である。土木建築現場１６や工事現場１７の作業員が土木建築材料の宣伝を見るには、デジタルサイネージ１１のタッチディスプレイ２０に表示された宣伝表示ボタン３ｆをタップし、さらに、デジタルサイネージ１１のタッチディスプレイ２０に表示された宣伝選択画面から土木建築材料宣伝ボタンをタップする。土木建築材料宣伝ボタンをタップすると、図示はしていないが、各種複数の土木建築材料（商品）の静止画を表示した複数の土木建築材料画像表示エリア、スクロールボタン、キャンセルボタンがデジタルサイネージ１１のタッチディスプレイ２０に表示される。土木建築材料画像表示エリアから所定の土木建築材料をタップ（選択）すると、図１２に示す土木建築材料宣伝画面がデジタルサイネージ１１のタッチディスプレイ２０に表示される（宣伝データ表示手段）。
【０１２５】
土木建築材料宣伝画面には、所定の土木建築材料（商品）の動画または静止画の宣伝画像を表示した土木建築材料宣伝画像表示エリア１２ａ、選択した土木建築材料（モルタル）の宣伝データ１２ｂ、土木建築材料購入ボタン１２ｃ、キャンセルボタン１２ｄ、スクロールボタン１２ｅが表示される。スクロールボタン１２ｅをタップすると、次ページの土木建築材料宣伝画面が表示される。土木建築材料購入ボタン１２ｃをタップすると、デジタルサイネージ１１のタッチディスプレイ２０に土木建築材料購入画面が表示され、既述の手順によって宣伝画像に表示された土木建築材料（モルタル）を購入することができる（商品購入手段）。
【０１２６】
なお、土木建築材料に関する宣伝データはデジタルサイネージ１１の記憶領域に格納されているが、作業者が土木建築材料宣伝ボタンをタップした後に、デジタルサイネージ１１が各種複数の土木建築材料（商品）の宣伝データをＷｅｂサイトから受信し、受信した宣伝データの土木建築材料宣伝画面をタッチディスプレイ２０に表示することもできる（宣伝データ表示手段）。
【０１２７】
図１３は、デジタルサイネージ１１のタッチディスプレイ２０に表示された工事器具宣伝画面の一例を示す図である。土木建築現場１６や工事現場１７の作業員が工事器具の宣伝を見るには、デジタルサイネージ１１のタッチディスプレイ２０に表示された宣伝表示ボタン３ｆをタップし、さらに、デジタルサイネージ１１のタッチディスプレイ２０に表示された宣伝選択画面から工事器具宣伝ボタンをタップする。工事器具宣伝ボタンをタップすると、図示はしていないが、各種複数の工事器具（商品）の静止画を表示した複数の工事器具画像表示エリア、スクロールボタン、キャンセルボタンがデジタルサイネージ１１のタッチディスプレイ２０に表示される。工事器具画像表示エリアから所定の工事器具をタップ（選択）すると、図１３に示す工事器具宣伝画面がデジタルサイネージ１１のタッチディスプレイ２０に表示される（宣伝データ表示手段）。
【０１２８】
工事器具宣伝画面には、所定の工事器具（商品）の動画または静止画の宣伝画像を表示した工事器具宣伝画像表示エリア１３ａ、選択した土木建築材料（三角コーン）の宣伝データ１３ｂ、工事器具購入ボタン１３ｃ、キャンセルボタン１３ｄ、スクロールボタン１３ｅが表示される。スクロールボタン１３ｅをタップすると、次ページの工事器具宣伝画面が表示される。工事器具購入ボタン１３ｃをタップすると、デジタルサイネージ１１のタッチディスプレイ２０に工事器具購入画面が表示され、既述の手順によって宣伝画像に表示された工事器具（三角コーン）を購入することができる（商品購入手段）。
【０１２９】
なお、工事器具に関する宣伝データはデジタルサイネージ１１の記憶領域に格納されているが、作業者が工事器具宣伝ボタンをタップした後に、デジタルサイネージ１１が各種複数の工事器具（商品）の宣伝データをＷｅｂサイトから受信し、受信した宣伝データの工事器具宣伝画面をタッチディスプレイ２０に表示することもできる（宣伝データ表示手段）。
【０１３０】
図１４は、デジタルサイネージ１１のタッチディスプレイ２０に表示された工事材料宣伝画面の一例を示す図である。土木建築現場１６や工事現場１７の作業員が工事材料の宣伝を見るには、デジタルサイネージ１１のタッチディスプレイ２０に表示された宣伝表示ボタン３ｆをタップし、さらに、デジタルサイネージ１１のタッチディスプレイ２０に表示された宣伝選択画面から工事材料宣伝ボタンをタップする。工事材料宣伝ボタンをタップすると、図示はしていないが、各種複数の工事材料（商品）の静止画を表示した複数の工事器具画像表示エリア、スクロールボタン、キャンセルボタンがデジタルサイネージ１１のタッチディスプレイ２０に表示される。工事材料画像表示エリアから所定の工事材料をタップ（選択）すると、図１４に示す工事材料宣伝画面がデジタルサイネージ１１のタッチディスプレイ２０に表示される（宣伝データ表示手段）。
【０１３１】
工事材料宣伝画面には、所定の工事材料（商品）の動画または静止画の宣伝画像を表示した工事材料宣伝画像表示エリア１４ａ、選択した土木建築材料（防水剤）の宣伝データ１４ｂ、工事材料具購入ボタン１４ｃ、キャンセルボタン１４ｄ、スクロールボタン１４ｅが表示される。スクロールボタン１４ｅをタップすると、次ページの工事材料宣伝画面が表示される。工事材料購入ボタン１４ｃをタップすると、デジタルサイネージ１１のタッチディスプレイ２０に工事材料購入画面が表示され、既述の手順によって宣伝画像に表示された工事材料を購入することができる（商品購入手段）。
【０１３２】
なお、工事材料に関する宣伝データはデジタルサイネージ１１の記憶領域に格納されているが、作業者が工事材料宣伝ボタンをタップした後に、デジタルサイネージ１１が各種複数の工事材料（商品）の宣伝データをＷｅｂサイトから受信し、受信した宣伝データの工事材料宣伝画面をタッチディスプレイ２０に表示することもできる（宣伝データ表示手段）。
【０１３３】
商品販売システム１０は、販売者サーバ１５ａ，１５ｂ（販売者端末装置）が弁当や土木建築器具、土木建築材料、工事器具、工事材料（商品）の宣伝データをＷｅｂサイトに登録することで、デジタルサイネージ１１が各種複数の弁当や土木建築器具、土木建築材料、工事器具、工事材料の宣伝データをＷｅｂサイトから受信することができるとともに、受信した弁当や土木建築器具、土木建築材料、工事器具、工事材料の宣伝データをデジタルサイネージ１１がタッチディスプレイ２０（表示装置）に表示することで、作業者（購入者）が各種の弁当や土木建築器具、土木建築材料、工事器具、工事材料の宣伝データを見ることができ、各種商品に対する購買者の購買意欲を高めることができる。
【０１３４】
商品販売システム１０は、販売者サーバ１４ａ，１５ｂがＷｅｂサイトにおいて宣伝データを更新することで、新規の弁当、土木建築器具、土木建築材料、工事器具、工事材料（商品）、未登録の弁当、土木建築器具、土木建築材料、工事器具、工事材料、バージョンアップした弁当、土木建築器具、土木建築材料、工事器具、工事材料の宣伝データを常時Ｗｅｂサイトに登録することができるとともに、古い弁当、土木建築器具、土木建築材料、工事器具、工事材料の宣伝データをＷｅｂサイトから削除することができ、デジタルサイネージ１１を利用して商品購入不便エリアにおいて購入者が更新された各種複数の弁当、土木建築器具、土木建築材料、工事器具、工事材料の宣伝データを見ることができる。
【０１３５】
図１５は、デジタルサイネージ１１のタッチディスプレイ２０に表示された天候表示画面の一例を示す図である。土木建築現場１６や工事現場１７の仮設ハウス１８や作業員休憩所１９での昼食中または休憩中に作業員が天候情報を見るには、デジタルサイネージ１１のタッチディスプレイ２０に表示された天候表示ボタン３ｇをタップ（クリック）する。天候表示ボタン３ｇをタップすると、デジタルサイネージ１１のコントロール装置は、デジタル通信装置を利用してインターネット２１に接続し、ＷｅｂサイトのＵＲＬを使用してインターネット２１上に存在するＷｅｂサイト（天候サイト）にアクセスかつログインし、天候データをＷｅｂサイトから受信する（天候データ受信手段）。
【０１３６】
デジタルサイネージ１１のコントロール装置は、天候データ受信手段によってＷｅｂサイトから受信した天候データを表示した天候表示画面をタッチディスプレイ２０（表示装置）に表示する（天候データ表示手段）。天候表示画面には、図１５に示すように、土木建築現場（購入場所）や工事現場（購入場所）を含むその地域における温度、湿度、天気予報、各種警戒注意情報を含む天候データが表示される。
【０１３７】
商品販売システム１０は、土木建築現場１６（購入場所）や工事現場１７（購入場所）を含むその地域における温度、湿度、天気予報、各種警戒注意情報を含む天候データをデジタルサイネージ１１のタッチディスプレイ２０（表示装置）に表示することで、土木建築現場１６や工事現場１７の仮設ハウス１８や作業員休憩所１９（商品購入不便エリア）に集まる作業者に土木建築現場１６や工事現場１７を含むその地域の天候を知らせることができ、作業者が土木建築現場１６や工事現場１７を含むその地域（商品購入不便エリア）の現在の温度や湿度、天気、今後の温度、湿度、天気を知ることができる。
【０１３８】
なお、商品販売システム１０では、デジタルサイネージ１１のタッチディスプレイ２０へのタップが所定時間ない場合、タッチディスプレイ２０のメニュー画面が各種商品の宣伝画面に切り替わり、タッチディスプレイ２０に各種商品の宣伝が表示される。さらに、宣伝画面に切り替わった後、所定の時間間隔で宣伝画面から天候表示画面に切り替わり、タッチディスプレイ２０に天候データが表示される。この場合、作業者が商品の宣伝画面や天候表示画面に触れると、宣伝画面や天候表示画面からメニュー画面に切り替わる。
【符号の説明】
【０１３９】
１０    商品販売システム
１１    デジタルサイネージ
１２    スマートフォン
１３    タブレット
１４    決済者サーバ（決済者端末装置）
１５ａ  販売者サーバ（販売者端末装置）
１５ｂ  販売者サーバ（販売者端末装置）
１６    土木建築現場
１７    工事現場
１８    仮設ハウス
１９    作業員休憩所
２０    タッチディスプレイ
２１    インターネット
２２    ＱＲコード（登録商標）
【図１】
2019087185.tif 000003
【図２】
2019087185.tif 000004
【図３】
2019087185.tif 000005
【図４】
2019087185.tif 000006
【図５】
2019087185.tif 000007
【図６】
2019087185.tif 000008
【図７】
2019087185.tif 000009
【図８】
2019087185.tif 000010
【図９】
2019087185.tif 000011
【図１０】
2019087185.tif 000012
【図１１】
2019087185.tif 000013
【図１２】
2019087185.tif 000014
【図１３】
2019087185.tif 000015
【図１４】
2019087185.tif 000016
【図１５】
2019087185.tif 000017